(57)【特許請求の範囲】
【請求項１】
第１のユーザ機器（ＵＥ）のワイヤレス通信の方法であって、
ワイヤレスワイドエリアネットワーク（ＷＷＡＮ）無線アクセス技術（ＲＡＴ）を通して基地局とのＷＷＡＮ通信リンクを確立することと、
ワイヤレスローカルエリアネットワーク（ＷＬＡＮ）ＲＡＴを通して少なくとも１つの第２のＵＥに前記ＷＷＡＮ通信リンクにアクセスするアクセスポイントを与えることと、
前記ＷＷＡＮ通信リンクのチャネル状態を決定することと、
前記チャネル状態に基づいて前記基地局と前記少なくとも１つの第２のＵＥとの間の少なくとも１つのマルチメディアサービスを管理することと
を備え、ここにおいて、前記少なくとも１つのマルチメディアサービスを前記管理することは、
前記基地局と前記少なくとも１つの第２のＵＥとの間で通信される前記少なくとも１つのマルチメディアサービスの第１のマルチメディアサービスのためのメッセージをインターセプトすることと、
少なくとも前記チャネル状態に基づいて、前記メッセージを転送するかまたは前記メッセージに応答して応答メッセージを送ることを決定することと
を備える、方法。
【請求項２】
前記少なくとも１つのマルチメディアサービスは、インターネットプロトコル（ＩＰ）マルチメディアサブシステム（ＩＭＳ）サービス、ビデオ電話サービス、リッチ通信サービス（ＲＣＳ）、またはそれらの任意の組合せを含む、請求項１に記載の方法。
【請求項３】
前記メッセージが、前記基地局と前記少なくとも１つの第２のＵＥとの間で通信される前記少なくとも１つのマルチメディアサービスの前記第１のマルチメディアサービスのための要求シグナリングメッセージを備え、
前記要求シグナリングメッセージが、前記少なくとも１つの第２のＵＥが前記第１のマルチメディアサービスに加わるように要求することを示し、
前記少なくとも１つのマルチメディアサービスを前記管理することが、前記要求シグナリングメッセージに基づいて前記第１のマルチメディアサービスのサービスタイプを決定することをさらに備え、
前記要求シグナリングメッセージを転送するかまたは応答メッセージを送ることを前記決定することが、前記決定されたサービスタイプを有する前記少なくとも１つのマルチメディアサービスのマルチメディアサービスの数にさらに基づく、
請求項１に記載の方法。
【請求項４】
前記応答メッセージが、バックオフのための原因コードを含む、請求項３に記載の方法。
【請求項５】
前記応答メッセージが、サービス拒否を示す、請求項３に記載の方法。
【請求項６】
前記メッセージが、前記基地局と前記少なくとも１つの第２のＵＥとの間で通信される前記少なくとも１つのマルチメディアサービスの前記第１のマルチメディアサービスのためのセッションシグナリングメッセージを備え、
前記少なくとも１つのマルチメディアサービスを前記管理することが、前記セッションシグナリングメッセージに基づいて前記第１のマルチメディアサービスのサービスタイプを決定することをさらに備え、
前記セッションシグナリングメッセージを転送するかまたは応答メッセージを送ることを前記決定することが、前記チャネル状態と、前記決定されたサービスタイプを有する前記少なくとも１つのマルチメディアサービスのマルチメディアサービスの数とにさらに基づく、
請求項１に記載の方法。
【請求項７】
前記少なくとも１つのマルチメディアサービスを前記管理することが、
前記少なくとも１つの第２のＵＥと前記基地局との間で補助マルチメディアサービスを確立するためのシグナリングメッセージをインターセプトすることと、
前記ＷＷＡＮ通信リンク上で追加のベアラを確立することと、
前記補助マルチメディアサービスを提供するために前記追加のベアラを使用することと
をさらに含む、請求項１に記載の方法。
【請求項８】
前記少なくとも１つのマルチメディアサービスを前記管理することが、前記少なくとも１つの第２のＵＥのＵＥの数または前記少なくとも１つのマルチメディアサービスのサービスの数のうちの少なくとも１つに基づいて前記第１のＵＥにおける前記ＷＷＡＮ通信リンクのサービス品質（ＱｏＳ）パラメータを調整することをさらに含む、請求項１に記載の方法。
【請求項９】
前記少なくとも１つのマルチメディアサービスを前記管理することが、
第３のＵＥと前記少なくとも１つの第２のＵＥとの間のシグナリングメッセージをインターセプトすることと、ここにおいて、前記第１のＵＥが、前記ＷＷＡＮ通信リンクと前記基地局とを通して前記第３のＵＥと通信している、
前記少なくとも１つの第２のＵＥと前記第３のＵＥとの間の前記少なくとも１つのマルチメディアサービスと前記少なくとも１つの第２のＵＥの通信エンドポイント特性とを与えるために使用されるべきアプリケーションを決定することと、
前記アプリケーションに固有の指示メッセージを生成することと、前記第３のＵＥに前記指示メッセージを送ることとを行うことと、ここにおいて、前記指示メッセージが、前記少なくとも１つの第２のＵＥの前記通信エンドポイント特性を含み、前記少なくとも１つの第２のＵＥが前記アクセスポイントを通して前記ＷＷＡＮ通信リンクと通信していることを示す、
をさらに含む、請求項１に記載の方法。
【請求項１０】
前記少なくとも１つのマルチメディアサービスを前記管理することが、
第３のＵＥと前記少なくとも１つの第２のＵＥとの間のシグナリングメッセージをインターセプトすることと、ここにおいて、前記第１のＵＥが、前記ＷＷＡＮ通信リンクと前記基地局とを通して前記第３のＵＥと通信している、
前記少なくとも１つの第２のＵＥと前記第３のＵＥとの間のビデオ電話サービスを検出することと、
前記少なくとも１つの第２のＵＥの通信エンドポイント特性を決定することと、
前記チャネル状態と前記少なくとも１つの第２のＵＥの前記エンドポイント特性とに基づいて前記ビデオ電話サービスの速度を決定することと、
指示メッセージを生成することと、前記第３のＵＥに前記指示メッセージを送ることとを行うことと、ここにおいて、前記指示メッセージが、前記ビデオ電話サービスの前記決定された速度を含む、
をさらに含む、請求項１に記載の方法。
【請求項１１】
前記少なくとも１つのマルチメディアサービスを前記管理することが、
前記基地局と前記少なくとも１つの第２のＵＥとの間のリッチ通信サービス（ＲＣＳ）を検出することと、
前記アクセスポイントのＷＬＡＮにおいて割り振られた前記少なくとも１つの第２のＵＥのネットワークアドレスを前記基地局のＷＷＡＮにおいて割り振られたネットワークアドレスに変換することと、
前記ＷＷＡＮにおいて割り振られた前記ネットワークアドレスを使用することによって前記基地局と前記ＲＣＳのデータを通信することと、
前記ＷＬＡＮにおいて割り振られた前記ネットワークアドレスを使用することによって前記少なくとも１つの第２のＵＥと前記ＲＣＳのデータを通信することと
をさらに含む、請求項１に記載の方法。
【請求項１２】
前記変換が、前記アクセスポイントによって与えられたアプリケーションレベルゲートウェイ（ＡＬＧ）において実行される、請求項１１に記載の方法。
【請求項１３】
前記少なくとも１つのマルチメディアサービスを前記管理することが、
前記ＷＷＡＮ通信リンクから受信された前記少なくとも１つのマルチメディアサービスのパケットから輻輳通知を検出することと、
前記少なくとも１つの第２のＵＥに前記輻輳を通知することと
をさらに含む、請求項１に記載の方法。
【請求項１４】
前記少なくとも１つのマルチメディアサービスを前記管理することが、前記輻輳通知を検出すると前記少なくとも１つの第２のＵＥに送られるべき前記少なくとも１つのマルチメディアサービスの１つまたは複数のパケットをドロップすることをさらに含む、請求項１３に記載の方法。
【請求項１５】
前記少なくとも１つのマルチメディアサービスを前記管理することがインターネットトラフィックオフロードを管理することをさらに含む、請求項１に記載の方法。
【請求項１６】
ワイヤレス通信のための装置であって、前記装置が第１のＵＥであり、
ワイヤレスワイドエリアネットワーク（ＷＷＡＮ）無線アクセス技術（ＲＡＴ）を通して基地局とのＷＷＡＮ通信リンクを確立するための手段と、
ワイヤレスローカルエリアネットワーク（ＷＬＡＮ）ＲＡＴを通して少なくとも１つの第２のＵＥに前記ＷＷＡＮ通信リンクにアクセスするアクセスポイントを与えるための手段と、
前記ＷＷＡＮ通信リンクのチャネル状態を決定するための手段と、
前記チャネル状態に基づいて前記基地局と前記少なくとも１つの第２のＵＥとの間の少なくとも１つのマルチメディアサービスを管理するための手段と
を備え、ここにおいて、前記少なくとも１つのマルチメディアサービスを管理するための前記手段は、
前記基地局と前記少なくとも１つの第２のＵＥとの間で通信される前記少なくとも１つのマルチメディアサービス通信サービスの第１のマルチメディアサービスのためのメッセージをインターセプトすることと、
少なくとも前記チャネル状態に基づいて前記メッセージを転送するかまたは応答メッセージを送ることを決定することと
を行うように構成された、装置。
【請求項１７】
前記少なくとも１つのマルチメディアサービスは、インターネットプロトコル（ＩＰ）マルチメディアサブシステム（ＩＭＳ）サービス、ビデオ電話サービス、リッチ通信サービス（ＲＣＳ）、またはそれらの任意の組合せを含む、請求項１６に記載の装置。
【請求項１８】
前記メッセージが、前記基地局と前記少なくとも１つの第２のＵＥとの間で通信される前記少なくとも１つのマルチメディアサービスの前記第１のマルチメディアサービスのための要求シグナリングメッセージを備え、
前記要求シグナリングメッセージが、前記少なくとも１つの第２のＵＥが前記第１のマルチメディアサービスに加わるように要求することを示し、
前記少なくとも１つのマルチメディアサービスを管理するための前記手段が、前記要求シグナリングメッセージに基づいて前記第１のマルチメディアサービスのサービスタイプを決定するようにさらに構成され、
前記要求シグナリングメッセージを転送するかまたは応答メッセージを送ることを決定することが、前記決定されたサービスタイプを有する前記少なくとも１つのマルチメディアサービスのマルチメディアサービスの数にさらに基づく、
請求項１６に記載の装置。
【請求項１９】
前記応答メッセージが、バックオフのための原因コードを含む、請求項１８に記載の装置。
【請求項２０】
前記応答メッセージが、サービス拒否を示す、請求項１８に記載の装置。
【請求項２１】
前記メッセージが、前記基地局と前記少なくとも１つの第２のＵＥとの間で通信される前記少なくとも１つのマルチメディアサービスの前記第１のマルチメディアサービスのためのセッションシグナリングメッセージを備え、
前記少なくとも１つのマルチメディアサービスを管理するための前記手段が、前記セッションシグナリングメッセージに基づいて前記第１のマルチメディアサービスのサービスタイプを決定するようにさらに構成され、
前記セッションシグナリングメッセージを転送するかまたは応答メッセージを送ることを決定することが、前記決定されたサービスタイプを有する前記少なくとも１つのマルチメディアサービスのマルチメディアサービスの数に基づく、
請求項１６に記載の装置。
【請求項２２】
前記少なくとも１つのマルチメディアサービスを管理するための前記手段が、
前記少なくとも１つの第２のＵＥと前記基地局との間で補助マルチメディアサービスを確立するためのシグナリングメッセージをインターセプトすることと、
前記ＷＷＡＮ通信リンク上で追加のベアラを確立することと、
前記補助マルチメディアサービスを提供するために前記追加のベアラを使用することと
を行うようにさらに構成された、請求項１６に記載の装置。
【請求項２３】
前記少なくとも１つのマルチメディアサービスを管理するための前記手段が、前記少なくとも１つの第２のＵＥのＵＥの数または前記少なくとも１つのマルチメディアサービスのサービスの数のうちの少なくとも１つに基づいて前記第１のＵＥにおける前記ＷＷＡＮ通信リンクのサービス品質（ＱｏＳ）パラメータを調整することを行うようにさらに構成された、請求項１６に記載の装置。
【請求項２４】
前記少なくとも１つのマルチメディアサービスを管理するための前記手段が、
第３のＵＥと前記少なくとも１つの第２のＵＥとの間のシグナリングメッセージをインターセプトすることと、ここにおいて、前記第１のＵＥが、前記ＷＷＡＮ通信リンクと前記基地局とを通して前記第３のＵＥと通信している、
前記少なくとも１つの第２のＵＥと前記第３のＵＥとの間の前記少なくとも１つのマルチメディアサービスと前記少なくとも１つの第２のＵＥの通信エンドポイント特性とを与えるために使用されるべきアプリケーションを決定することと、
前記アプリケーションに固有の指示メッセージを生成することと、前記第３のＵＥに前記指示メッセージをセンディングすることとを行うことと、ここにおいて、前記指示メッセージが、前記少なくとも１つの第２のＵＥの前記通信エンドポイント特性を含み、前記少なくとも１つの第２のＵＥが前記アクセスポイントを通して前記ＷＷＡＮ通信リンクと通信していることを示す、
を行うようにさらに構成された、請求項１６に記載の装置。
【請求項２５】
前記少なくとも１つのマルチメディアサービスを管理するための前記手段が、
前記基地局と前記少なくとも１つの第２のＵＥとの間のリッチ通信サービス（ＲＣＳ）を検出することと、
前記アクセスポイントのＷＬＡＮにおいて割り振られた前記少なくとも１つの第２のＵＥのネットワークアドレスを前記基地局のＷＷＡＮにおいて割り振られたネットワークアドレスに変換することと、
前記ＷＷＡＮにおいて割り振られた前記ネットワークアドレスを使用することによって前記基地局と前記ＲＣＳのデータを通信することと、
前記ＷＬＡＮにおいて割り振られた前記ネットワークアドレスを使用することによって前記少なくとも１つの第２のＵＥと前記ＲＣＳのデータを通信することと
を行うようにさらに構成された、請求項１６に記載の装置。
【請求項２６】
ワイヤレス通信のための装置であって、前記装置が第１のユーザ機器（ＵＥ）であり、
メモリと、
前記メモリに結合され、
ワイヤレスワイドエリアネットワーク（ＷＷＡＮ）無線アクセス技術（ＲＡＴ）を通して基地局とのＷＷＡＮ通信リンクを確立することと、
ワイヤレスローカルエリアネットワーク（ＷＬＡＮ）ＲＡＴを通して少なくとも１つの第２のＵＥに前記ＷＷＡＮ通信リンクにアクセスするアクセスポイントを与えることと、
前記ＷＷＡＮ通信リンクのチャネル状態を決定することと、
前記基地局と前記少なくとも１つの第２のＵＥとの間で通信される前記少なくとも１つのマルチメディアサービスの第１のマルチメディアサービスのためのメッセージをインターセプトすることと、少なくとも前記チャネル状態に基づいて前記メッセージを転送するかまたは応答メッセージを送ることを決定することとによって、前記チャネル状態に基づいて前記基地局と前記少なくとも１つの第２のＵＥとの間の少なくとも１つのマルチメディアサービスを管理することと
を行うように構成された少なくとも１つのプロセッサと
を備える、装置。
【請求項２７】
第１のユーザ機器（ＵＥ）においてワイヤレス通信のためのコンピュータ実行可能コードを記憶する非一時的なコンピュータ可読媒体であって、
ワイヤレスワイドエリアネットワーク（ＷＷＡＮ）無線アクセス技術（ＲＡＴ）を通して基地局とのＷＷＡＮ通信リンクを確立することと、
ワイヤレスローカルエリアネットワーク（ＷＬＡＮ）ＲＡＴを通して少なくとも１つの第２のＵＥに前記ＷＷＡＮ通信リンクにアクセスするアクセスポイントを与えることと、
前記ＷＷＡＮ通信リンクのチャネル状態を決定することと、
前記チャネル状態に基づいて前記基地局と前記少なくとも１つの第２のＵＥとの間の少なくとも１つのマルチメディアサービスを管理することと
を行うためのコードを備え、ここにおいて、前記少なくとも１つのマルチメディアサービスを前記管理することは、
前記基地局と前記少なくとも１つの第２のＵＥとの間で通信される前記少なくとも１つのマルチメディアサービスの第１のマルチメディアサービスのためのメッセージをインターセプトすることと、
少なくとも前記チャネル状態に基づいて前記メッセージを転送するかまたは応答メッセージを送ることを決定することと
を行うためのコードを備える、非一時的なコンピュータ可読媒体。
【請求項２８】
第１のユーザ機器（ＵＥ）のワイヤレス通信の方法であって、
ワイヤレスワイドエリアネットワーク（ＷＷＡＮ）無線アクセス技術（ＲＡＴ）を通して基地局とのＷＷＡＮ通信リンクを確立することと、
ワイヤレスローカルエリアネットワーク（ＷＬＡＮ）ＲＡＴを通して少なくとも１つの第２のＵＥに前記ＷＷＡＮ通信リンクにアクセスするアクセスポイントを与えることと、
前記ＷＷＡＮ通信リンクのチャネル状態を決定することと、
前記チャネル状態に基づいて前記基地局と前記少なくとも１つの第２のＵＥとの間の少なくとも１つのマルチメディアサービスを管理することと
を備え、ここにおいて、前記少なくとも１つのマルチメディアサービスを前記管理することは、
前記少なくとも１つの第２のＵＥのワイヤレスマルチメディア（ＷＭＭ）プロファイルを検出することと、
前記ＷＭＭプロファイルに基づいて前記基地局と前記少なくとも１つの第２のＵＥとの間で通信される前記少なくとも１つのマルチメディアサービスの第１のマルチメディアサービスのサービスタイプを決定することと、
前記チャネル状態と、前記決定されたサービスタイプを有する前記少なくとも１つのマルチメディアサービスのマルチメディアサービスの数とに基づいてセッションシグナリングメッセージを転送するかまたは応答メッセージを送ることを決定することと
を備える、方法。
【請求項２９】
ワイヤレス通信のための装置であって、前記装置が第１のＵＥであり、
ワイヤレスワイドエリアネットワーク（ＷＷＡＮ）無線アクセス技術（ＲＡＴ）を通して基地局とのＷＷＡＮ通信リンクを確立するための手段と、
ワイヤレスローカルエリアネットワーク（ＷＬＡＮ）ＲＡＴを通して少なくとも１つの第２のＵＥに前記ＷＷＡＮ通信リンクにアクセスするアクセスポイントを与えるための手段と、
前記ＷＷＡＮ通信リンクのチャネル状態を決定するための手段と、
前記チャネル状態に基づいて前記基地局と前記少なくとも１つの第２のＵＥとの間の少なくとも１つのマルチメディアサービスを管理するための手段と
を備え、ここにおいて、前記少なくとも１つのマルチメディアサービスの管理のための前記手段は、
前記少なくとも１つの第２のＵＥのワイヤレスマルチメディア（ＷＭＭ）プロファイルを検出することと、
前記ＷＭＭプロファイルに基づいて前記基地局と前記少なくとも１つの第２のＵＥとの間で通信される前記少なくとも１つのマルチメディアサービスの第１のマルチメディアサービスのサービスタイプを決定することと、
前記チャネル状態と、前記決定されたサービスタイプを有する前記少なくとも１つのマルチメディアサービスのマルチメディアサービスの数とに基づいてセッションシグナリングメッセージを転送するかまたは応答メッセージを送ることを決定することと
を行うようにさらに構成された、装置。
【請求項３０】
第１のユーザ機器（ＵＥ）のワイヤレス通信の方法であって、
ワイヤレスワイドエリアネットワーク（ＷＷＡＮ）無線アクセス技術（ＲＡＴ）を通して基地局とのＷＷＡＮ通信リンクを確立することと、
ワイヤレスローカルエリアネットワーク（ＷＬＡＮ）ＲＡＴを通して少なくとも１つの第２のＵＥに前記ＷＷＡＮ通信リンクにアクセスするアクセスポイントを与えることと、
前記ＷＷＡＮ通信リンクのチャネル状態を決定することと、
前記チャネル状態に基づいて前記基地局と前記少なくとも１つの第２のＵＥとの間の少なくとも１つのマルチメディアサービスを管理することと
を備え、ここにおいて、前記少なくとも１つのマルチメディアサービスを前記管理することは、
第３のＵＥと前記少なくとも１つの第２のＵＥとの間のシグナリングメッセージをインターセプトすることと、ここにおいて、前記第１のＵＥが、前記ＷＷＡＮ通信リンクと前記基地局とを通して前記第３のＵＥと通信している、
前記少なくとも１つの第２のＵＥと前記第３のＵＥとの間のビデオ電話サービスを検出することと、
前記少なくとも１つの第２のＵＥの通信エンドポイント特性を決定することと、
前記チャネル状態と前記少なくとも１つの第２のＵＥの前記エンドポイント特性とに基づいて前記ビデオ電話サービスの速度を決定することと、
指示メッセージを生成することと、前記第３のＵＥに前記指示メッセージを送ることとを行うことと、ここにおいて、前記指示メッセージが、前記ビデオ電話サービスの前記決定された速度を含む、
を備える、方法。
【請求項３１】
ワイヤレス通信のための装置であって、前記装置が第１のＵＥであり、
ワイヤレスワイドエリアネットワーク（ＷＷＡＮ）無線アクセス技術（ＲＡＴ）を通して基地局とのＷＷＡＮ通信リンクを確立するための手段と、
ワイヤレスローカルエリアネットワーク（ＷＬＡＮ）ＲＡＴを通して少なくとも１つの第２のＵＥに前記ＷＷＡＮ通信リンクにアクセスするアクセスポイントを与えるための手段と、
前記ＷＷＡＮ通信リンクのチャネル状態を決定するための手段と、
前記チャネル状態に基づいて前記基地局と前記少なくとも１つの第２のＵＥとの間の少なくとも１つのマルチメディアサービスを管理するための手段と
を備え、ここにおいて、前記少なくとも１つのマルチメディアサービスを管理するための前記手段は、
第３のＵＥと前記少なくとも１つの第２のＵＥとの間のシグナリングメッセージをインターセプトすることと、ここにおいて、前記第１のＵＥが、前記ＷＷＡＮ通信リンクと前記基地局とを通して前記第３のＵＥと通信している、
前記少なくとも１つの第２のＵＥと前記第３のＵＥとの間の前記少なくとも１つのマルチメディアサービスと前記少なくとも１つの第２のＵＥの通信エンドポイント特性とを与えるために使用されるべきアプリケーションを決定することと、
前記アプリケーションに固有の指示メッセージを生成することと、前記第３のＵＥに前記指示メッセージを送ることとを行うことと、ここにおいて、前記指示メッセージが、前記少なくとも１つの第２のＵＥの前記通信エンドポイント特性を含み、前記少なくとも１つの第２のＵＥが前記アクセスポイントを通して前記ＷＷＡＮ通信リンクと通信していることを示す、
を行うようにさらに構成された、装置。
【請求項３２】
ワイヤレス通信のための装置であって、前記装置が第１のＵＥであり、
ワイヤレスワイドエリアネットワーク（ＷＷＡＮ）無線アクセス技術（ＲＡＴ）を通して基地局とのＷＷＡＮ通信リンクを確立するための手段と、
ワイヤレスローカルエリアネットワーク（ＷＬＡＮ）ＲＡＴを通して少なくとも１つの第２のＵＥに前記ＷＷＡＮ通信リンクにアクセスするアクセスポイントを与えるための手段と、
前記ＷＷＡＮ通信リンクのチャネル状態を決定するための手段と、
前記チャネル状態に基づいて前記基地局と前記少なくとも１つの第２のＵＥとの間の少なくとも１つのマルチメディアサービスを管理するための手段と
を備え、ここにおいて、前記少なくとも１つのマルチメディアサービスを管理するための前記手段は、
第３のＵＥと前記少なくとも１つの第２のＵＥとの間のシグナリングメッセージをインターセプトすることと、ここにおいて、前記第１のＵＥが、前記ＷＷＡＮ通信リンクと前記基地局とを通して前記第３のＵＥと通信している、
前記少なくとも１つの第２のＵＥと前記第３のＵＥとの間のビデオ電話サービスを検出することと、
前記少なくとも１つの第２のＵＥの通信エンドポイント特性を決定することと、
前記チャネル状態と前記少なくとも１つの第２のＵＥの前記エンドポイント特性とに基づいて前記ビデオ電話サービスの速度を決定することと、
指示メッセージを生成することと、前記第３のＵＥに前記指示メッセージをセンディングすることとを行うことと、ここにおいて、前記指示メッセージが、前記ビデオ電話サービスの前記決定された速度を含む、
を行うようにさらに構成された、装置。
【発明の詳細な説明】
【技術分野】
【０００１】
関連出願の相互参照
[0001]本出願は、その全体が参照により本明細書に明確に組み込まれる、２０１５年９月８日に出願された「ＩＭＳ  ＯＶＥＲ  ＳＯＦＴ  ＡＰ  ＡＤＭＩＳＳＩＯＮ  ＣＯＮＴＲＯＬ  ＡＮＤ  ＲＥＳＯＵＲＣＥ  ＭＡＮＡＧＥＭＥＮＴ」と題する米国特許出願第１４／８４８，１９２号の利益を主張する。
【０００２】
[0002]本開示は、一般に、通信システムに関し、より詳細には、ソフトアクセスポイント（ＡＰ）を通してネットワーク接続性にアクセスするユーザ機器のためのインターネットプロトコル（ＩＰ）マルチメディアサブシステム（ＩＭＳ）承認制御およびリソース管理の技法に関する。
【背景技術】
【０００３】
[0003]ワイヤレス通信システムは、電話、ビデオ、データ、メッセージング、およびブロードキャストなどの様々な電気通信サービスを提供するために広く展開されている。通常のワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。例示的な電気通信規格はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]以下は、本開示の１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示されるより詳細な説明の導入として、１つまたは複数の態様のいくつかの概念を簡略化された形で提示することである。
【０００６】
[0006]一態様では、一例によれば、第１のユーザ機器（ＵＥ）のワイヤレス通信の方法が提供される。本方法は、ワイヤレスワイドエリアネットワーク（ＷＷＡＮ）無線アクセス技術（ＲＡＴ）を通して基地局とのＷＷＡＮ通信リンクを確立することを含む。本方法は、ワイヤレスローカルエリアネットワーク（ＷＬＡＮ）ＲＡＴを通して少なくとも１つの第２のＵＥにＷＷＡＮ通信リンクにアクセスするアクセスポイントを与えることを含む。本方法は、ＷＷＡＮ通信リンクのチャネル状態を決定することを含む。本方法は、チャネル状態に基づいて基地局と少なくとも１つの第２のＵＥとの間の少なくとも１つのマルチメディアサービスを管理することを含む。
【０００７】
[0007]一例によれば、ワイヤレス通信のための装置が提供される。本装置は第１のＵＥであり得る。本装置は、ＷＷＡＮ  ＲＡＴを通して基地局とのＷＷＡＮ通信リンクを確立するための手段を含む。本装置は、ＷＬＡＮ  ＲＡＴを通して少なくとも１つの第２のＵＥにＷＷＡＮ通信リンクにアクセスするアクセスポイントを与えるための手段を含む。本装置は、ＷＷＡＮ通信リンクのチャネル状態を決定するための手段を含む。本装置は、チャネル状態に基づいて基地局と少なくとも１つの第２のＵＥとの間の少なくとも１つのマルチメディアサービスを管理するための手段を含む。
【０００８】
[0008]一例によれば、ワイヤレス通信のための装置が提供される。本装置は第１のＵＥであり得る。本装置は、メモリと、メモリに結合され、ＷＷＡＮ  ＲＡＴを通して基地局とのＷＷＡＮ通信リンクを確立することを行うように構成された少なくとも１つのプロセッサとを含む。少なくとも１つのプロセッサは、ＷＬＡＮ  ＲＡＴを通して少なくとも１つの第２のＵＥにＷＷＡＮ通信リンクにアクセスするアクセスポイントを与えることを行うようにさらに構成される。少なくとも１つのプロセッサは、ＷＷＡＮ通信リンクのチャネル状態を決定することを行うようにさらに構成される。少なくとも１つのプロセッサは、チャネル状態に基づいて基地局と少なくとも１つの第２のＵＥとの間の少なくとも１つのマルチメディアサービスを管理することを行うようにさらに構成される。
【０００９】
[0009]一例によれば、ＵＥにワイヤレス通信のためのコンピュータ実行可能コードを記憶するコンピュータ可読媒体が提供される。コンピュータ可読媒体は、ＷＷＡＮ  ＲＡＴを通して基地局とのＷＷＡＮ通信リンクを確立するためのコードを含む。コンピュータ可読媒体は、ＷＬＡＮ  ＲＡＴを通して少なくとも１つの第２のＵＥにＷＷＡＮ通信リンクにアクセスするアクセスポイントを与えるためのコードを含む。コンピュータ可読媒体は、ＷＷＡＮ通信リンクのチャネル状態を決定するためのコードを含む。コンピュータ可読媒体は、チャネル状態に基づいて基地局と少なくとも１つの第２のＵＥとの間の少なくとも１つのマルチメディアサービスを管理するためのコードを含む。
【図面の簡単な説明】
【００１０】
【図１】[0010]ネットワークアーキテクチャの例を示す図。
【図２】[0011]アクセスネットワークの一例を示す図。
【図３】[0012]ＬＴＥにおけるＤＬフレーム構造の一例を示す図。
【図４】[0013]ＬＴＥにおけるＵＬフレーム構造の一例を示す図。
【図５】[0014]ユーザプレーンおよび制御プレーンのための無線プロトコルアーキテクチャの一例を示す図。
【図６】[0015]アクセスネットワーク中の発展型ノードＢ（ｅノードＢ）およびユーザ機器の一例を示す図。
【図７】[0016]ＵＥ、ｅノードＢ、およびモビリティ管理エンティティ（ＭＭＥ）の設計のブロック図。
【図８】[0017]ＩＭＳ局（ＳＴＡ）を示す図。
【図９】[0018]ＩＭＳ  ＵＥおよびＩＭＳ  ＳＴＡにおけるＩＭＳサービスパラメータを管理するためのシーケンスを示す図。
【図１０】[0019]ＩＭＳ  ＵＥおよびＩＭＳ  ＳＴＡにおけるＩＭＳサービス速度適応パラメータを管理するためのシーケンスを示す図。
【図１１】[0020]ソフトＡＰを通して提供されるＩＭＳサービスを管理する方法（プロセス）のフローチャート。
【図１２】[0021]チャネル状態に基づいて基地局とＵＥとの間の少なくとも１つのマルチメディアサービスを管理する第１の方法（プロセス）のフローチャート。
【図１３】[0022]チャネル状態に基づいて基地局とＵＥとの間の少なくとも１つのマルチメディアサービスを管理する第２の方法（プロセス）のフローチャート。
【図１４】[0023]チャネル状態に基づいて基地局とＵＥとの間の少なくとも１つのマルチメディアサービスを管理する第３の方法（プロセス）のフローチャート。
【図１５】[0024]チャネル状態に基づいて基地局とＵＥとの間の少なくとも１つのマルチメディアサービスを管理する第４の方法（プロセス）のフローチャート。
【図１６】[0025]チャネル状態に基づいて基地局とＵＥとの間の少なくとも１つのマルチメディアサービスを管理する第５の方法（プロセス）のフローチャート。
【図１７】[0026]チャネル状態に基づいて基地局とＵＥとの間の少なくとも１つのマルチメディアサービスを管理する第６の方法（プロセス）のフローチャート。
【図１８】[0027]チャネル状態に基づいて基地局とＵＥとの間の少なくとも１つのマルチメディアサービスを管理する第７の方法（プロセス）のフローチャート。
【図１９】[0028]チャネル状態に基づいて基地局とＵＥとの間の少なくとも１つのマルチメディアサービスを管理する第８の方法（プロセス）のフローチャート。
【図２０】[0029]例示的な装置中の異なるモジュール／手段／構成要素間のデータフローを示す概念的なデータフロー図。
【図２１】[0030]処理システムを利用する装置のためのハードウェア実装態様の一例を示す図。
【発明を実施するための形態】
【００１１】
[0031]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１２】
[0032]ここで、種々の装置および方法を参照しながら、電気通信システムのいくつかの態様が提示される。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課される設計制約に依存する。
【００１３】
[0033]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１４】
[0034]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータがアクセスできる任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００１５】
[0035]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単にするために、それらのエンティティ／インターフェースは図示していない。図示のように、ＥＰＳはパケット交換サービスを提供するが、当業者が容易に諒解するように、本開示全体にわたって提示される様々な概念は、回線交換サービスを提供するネットワークに拡張され得る。
【００１６】
[0036]Ｅ−ＵＴＲＡＮは、発展型ノードＢ（ｅＮＢ）１０６と、他のｅＮＢ１０８とを含み、マルチキャスト協調エンティティ（ＭＣＥ）１２８を含み得る。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は、発展型マルチメディアブロードキャストマルチキャストサービス（ＭＢＭＳ）（ｅＭＢＭＳ）のために時間／周波数無線リソースを割り振り、ｅＭＢＭＳのために無線構成（たとえば、変調およびコーディング方式（ＭＣＳ））を決定する。ＭＣＥ１２８は、別個のエンティティ、またはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１７】
[0037]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８およびＢＭ−ＳＣ１２６は、ＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１８】
[0038]いくつかの構成では、ＵＥ１０２は、ソフトＡＰ１３４とＩＭＳマネージャ１３６とを含み得る。上記で説明したように、ＵＥ１０２は、ｅＮＢ１０６とのＬＴＥリンク１３９（すなわち、ＷＷＡＮリンク）を確立し得る。ソフトＡＰ１３４は、１つまたは複数のＩＭＳ局（ＳＴＡ）１７２（たとえば、ＷＬＡＮ中のＩＭＳ  ＵＥ）にネットワーク接続性を与える。たとえば、各ＩＭＳ  ＳＴＡ１７２は、ソフトＡＰ１３４とのＷＬＡＮリンク１３８を確立し得る。ソフトＡＰ１３４によって与えられたネットワーク接続性を通して、ＩＭＳ  ＳＴＡ１７２は、ＩＭＳサービスを使用し得る。
【００１９】
[0039]ＥＰＳ１００は、ＩＭＳシステム１５０を含み得る。ＩＭＳシステム１５０は、特に、呼セッション制御機能（ＣＳＣＦ：call session control function）１５２と１つまたは複数のアプリケーションサーバ１５４とを含む。ＣＳＣＦ１５２は、サービングＣＳＣＦ（Ｓ−ＣＳＣＦ）と、１つまたは複数のプロキシＣＳＣＦ（Ｐ−ＣＳＣＦ）と、１つまたは複数の問い合わせＣＳＣＦ（Ｉ−ＣＳＣＦ：interrogating CSCF）とを含み得る。ＩＭＳシステム１５０は、他のＩＭＳシステム１５８と通信していることがある。
【００２０】
[0040]さらに、ＩＭＳ  ＵＥ１７８は、別のＥ−ＵＴＲＡＮ１９４および別のＥＰＣ１９０を通してＩＰサービス１２２および他のＩＭＳシステム１５８と通信していることがある。このようにして、ＩＭＳ  ＳＴＡ１７２とＩＭＳ  ＵＥ１７８とは、それらとの間にＩＭＳサービスを確立し得る。ＵＥ１０２のＩＭＳマネージャ１３６は、ＬＴＥリンク１３９のチャネル状態を決定するプロセスを制御し得る。ＩＭＳマネージャ１３６はまた、チャネル状態に基づいてｅＮＢ１０６とＩＭＳ  ＳＴＡ１７２との間の少なくとも１つのマルチメディアサービスを管理するプロセスを制御し得る。
【００２１】
[0041]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８が、セル２０２のうちの１つまたは複数と重なるセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４はそれぞれ、それぞれのセル２０２に割り当てられ、セル２０２内のすべてのＵＥ２０６にＥＰＣ１１０へのアクセスポイントを与えるように構成される。アクセスネットワーク２００のこの例には集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最小カバレージエリアおよび／または特定のカバレージエリアをサービスするｅＮＢサブシステムを指すことがある。さらに、「ｅＮＢ」、「基地局」、および「セル」という用語は、本明細書では互換的に使用されることがある。
【００２２】
[0042]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＤＬ上でＯＦＤＭが使用され、ＵＬ上でＳＣ−ＦＤＭＡが使用される。当業者なら以下の詳細な説明から容易に諒解するように、本明細書で提示される様々な概念は、ＬＴＥ適用例に好適である。しかしながら、これらの概念は、他の変調および多元接続技法を利用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを与えるためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ｃｄｍａ２０００およびＵＭＢについては、３ＧＰＰ２団体からの文書に記載されている。利用される実際のワイヤレス通信規格および多元接続技術は、特定の適用例と、システムに課される全体的な設計制約とによって決まることになる。
【００２３】
[0043]ｅＮＢ２０４は、ＭＩＭＯ技術をサポートする複数のアンテナを有し得る。ＭＩＭＯ技術の使用により、ｅＮＢ２０４は、空間領域を活用して、空間多重化、ビームフォーミング、および送信ダイバーシティをサポートできるようになる。空間多重化は、異なるデータストリームを同じ周波数上で同時に送信するために使用され得る。データストリームは、データレートを増大させるために単一のＵＥ２０６に送信されるか、または全体的なシステム容量を増大させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともにＵＥ２０６に到着し、これにより、ＵＥ２０６の各々がそのＵＥ２０６に宛てられた１つまたは複数のデータストリームを復元することが可能になる。ＵＬ上では、各ＵＥ２０６は、空間的にプリコーディングされたデータストリームを送信し、これにより、ｅＮＢ２０４は、空間的にプリコーディングされた各データストリームのソースを識別できるようになる。
【００２４】
[0044]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２５】
[0045]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間することは、受信機がサブキャリアからデータを再生できるようにする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００２６】
[0046]ＵＥ２０６は、ソフトＡＰ２３４とＩＭＳマネージャ２３６とを含み得る。一構成では、ソフトＡＰ２３４は、ＷＷＡＮ  ＲＡＴを通してｅＮＢ２０４とのＷＷＡＮ通信リンクを確立するプロセスを制御し得る。ソフトＡＰ２３４はまた、ＷＬＡＮ  ＲＡＴを通して少なくとも１つの第２のＵＥにＷＷＡＮ通信リンクにアクセスするアクセスポイントを与えるプロセスを制御し得る。ＩＭＳマネージャ２３６は、ＷＷＡＮ通信リンクのチャネル状態を決定するプロセスを制御し得る。ＩＭＳマネージャ２３６はまた、チャネル状態に基づいてｅＮＢ２０４と少なくとも１つの第２のＵＥとの間の少なくとも１つのマルチメディアサービスを管理するプロセスを制御し得る。
【００２７】
[0047]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７つの連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６つの連続するＯＦＤＭシンボルを含んでいる。Ｒ３０２、３０４として示されるリソース要素のいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上で送信される。各リソース要素によって搬送されるビット数は変調方式に依存する。したがって、ＵＥが受信するリソースブロックが多いほど、および変調方式が高いほど、ＵＥのデータレートは高くなる。
【００２８】
[0048]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造によって、結果として、データセクションが隣接するサブキャリアを含むようになり、それにより、単一のＵＥに、データセクション内の隣接するサブキャリアのすべてを割り当てることができるようになる。
【００２９】
[0049]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータまたはデータと制御情報の両方を送信し得る。ＵＬ送信は、サブフレームの両方のスロットにわたり得、周波数上でホッピングし得る。
【００３０】
[0050]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダム系列を搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。ＰＲＡＣＨの場合、周波数ホッピングはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みを行うことができる。
【００３１】
[0051]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３で示される。レイヤ１（Ｌ１レイヤ）は最下位レイヤであり、様々な物理レイヤ信号処理機能を実装する。Ｌ１レイヤは本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００３２】
[0052]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、遠端ＵＥ、サーバなど）において終端されるアプリケーションレイヤとを含めて、Ｌ２レイヤ５０８の上にいくつかの上位レイヤを有し得る。
【００３３】
[0053]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ）による、順が狂った受信を補正するためのデータパケットの並べ替えとを行う。ＭＡＣサブレイヤ５１０は、論理チャネルとトランスポートチャネルとの間の多重化を提供する。ＭＡＣサブレイヤ５１０はまた、１つのセルの中の様々な無線リソース（たとえば、リソースブロック）をＵＥの間で割り振ることを担当する。ＭＡＣサブレイヤ５１０はまた、ＨＡＲＱ演算を担当する。
【００３４】
[0054]制御プレーンにおいて、ＵＥおよびｅＮＢのための無線プロトコルアーキテクチャは、制御プレーンのためのヘッダ圧縮機能がないことを除いて、物理レイヤ５０６およびＬ２レイヤ５０８に対して実質的に同じである。制御プレーンはまた、レイヤ３（Ｌ３レイヤ）の中に無線リソース制御（ＲＲＣ）サブレイヤ５１６を含む。ＲＲＣサブレイヤ５１６は、無線リソース（たとえば、無線ベアラ）を取得すること、およびｅＮＢとＵＥとの間のＲＲＣシグナリングを使用して下位レイヤを構成することを担当する。
【００３５】
[0055]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、ヘッダ圧縮と、暗号化と、パケットのセグメント化および並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ演算と、紛失パケットの再送信と、ＵＥ６５０へのシグナリングとを担当する。
【００３６】
[0056]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ）を容易にするためのコーディングおよびインターリービングと、様々な変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ））に基づく信号コンスタレーションへのマッピングとを含む。次いで、コーディングおよび変調されたシンボルが、並列ストリームに分割される。各ストリームは、その後、ＯＦＤＭサブキャリアにマッピングされ、時間領域および／または周波数領域において基準信号（たとえば、パイロット）と多重化され、その後、時間領域ＯＦＤＭシンボルストリームを搬送する物理チャネルを生成するために、逆高速フーリエ変換（ＩＦＦＴ）を用いて互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームを用いてＲＦキャリアを変調し得る。
【００３７】
[0057]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた空間ストリームを復元するために、情報に対して空間処理を実行し得る。複数の空間ストリームがＵＥ６５０に宛てられた場合、それらの空間ストリームはＲＸプロセッサ６５６によって単一のＯＦＤＭシンボルストリームに合成され得る。ＲＸプロセッサ６５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００３８】
[0058]コントローラ／プロセッサ６５９は、Ｌ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬにおいて、コントローラ／プロセッサ６５９は、コアネットワークからの上位レイヤパケットを復元するために、トランスポートチャネルと論理チャネルとの間の逆多重化と、パケットリアセンブリと、暗号解読（decipher）と、ヘッダ解凍（decompression）と、制御信号処理とを提供する。上位レイヤパケットは、その後、Ｌ２レイヤの上方のすべてのプロトコルレイヤを表す、データシンク６６２に与えられる。また、様々な制御信号がＬ３処理のためにデータシンク６６２に与えられ得る。コントローラ／プロセッサ６５９は、ＨＡＲＱ演算をサポートするために肯定応答（ＡＣＫ）および／または否定応答（ＮＡＣＫ）プロトコルを使用して誤り検出も担当する。
【００３９】
[0059]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００４０】
[0060]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００４１】
[0061]ＵＬ送信は、ＵＥ６５０における受信機機能に関して説明した様式と同様の様式でｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、ＲＸプロセッサ６７０に情報を与える。ＲＸプロセッサ６７０はＬ１レイヤを実装し得る。
【００４２】
[0062]コントローラ／プロセッサ６７５は、Ｌ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ６７５からの上位レイヤパケットは、コアネットワークに提供され得る。コントローラ／プロセッサ６７５はまた、ＨＡＲＱ演算をサポートするために、ＡＣＫおよび／またはＮＡＣＫのプロトコルを使用する誤り検出を担当する。
【００４３】
[0063]図７に、ＵＥ１０２と、ｅＮＢ１０６と、ＭＭＥ１１２との設計のブロック図７００を示す。ＵＥ１０２において、エンコーダ７１２は、アップリンク上で送られるべきトラフィックデータとシグナリングメッセージとを受信し得る。エンコーダ７１２は、トラフィックデータとシグナリングメッセージとを処理（たとえば、フォーマット、符号化、およびインターリーブ）し得る。変調器（Ｍｏｄ）７１４は、さらに、符号化されたトラフィックデータとシグナリングメッセージとを処理（たとえば、シンボルマッピングおよび変調）し、出力サンプルを与え得る。送信機（ＴＭＴＲ）７２２は、出力サンプルを調整（たとえば、アナログ変換、フィルタ処理、増幅、および周波数アップコンバート）し、アップリンク信号を生成し得、これは、ｅＮＢ１０６にアンテナ７２４を介して送信され得る。
【００４４】
[0064]ダウンリンク上で、アンテナ７２４は、ｅＮＢ１０６および／または他のｅＮＢ／基地局によって送信されたダウンリンク信号を受信し得る。受信機（ＲＣＶＲ）７２６は、アンテナ７２４からの受信信号を調整（たとえば、フィルタ処理、増幅、周波数ダウンコンバート、およびデジタル化）し、入力サンプルを与え得る。復調器（Ｄｅｍｏｄ）７１６は、入力サンプルを処理（たとえば、復調）し、シンボル推定値を与え得る。デコーダ７１８は、シンボル推定値を処理（たとえば、デインターリーブおよび復号）し、ＵＥ１０２に送られる復号データとシグナリングメッセージとを与え得る。エンコーダ７１２、変調器７１４、復調器７１６、およびデコーダ７１８は、モデムプロセッサ７１０によって実装され得る。これらのユニットは、ＵＥ１０２が通信しているワイヤレスネットワークによって使用される無線アクセス技術（ＲＡＴ）（たとえば、ＬＴＥ、１ｘＲＴＴなど）による処理を実行し得る。さらに、モデムプロセッサ７１０はまた、サービス品質（ＱｏＳ）機能７１１とＷＷＡＮプロトコルスタック７１３とを実行し得る。アプリケーションプロセッサ７３０上で実行されるサービスおよびアプリケーションは、ＬＴＥリンク１３９上で通信するためにＷＷＡＮプロトコルスタック７１３を呼び出し得る。アプリケーションプロセッサ７３０上で実行されるサービスおよびアプリケーションは、ＬＴＥリンク１３９上でＱｏＳパラメータをセットアップするためにＱｏＳ機能７１１を呼び出し得る。
【００４５】
[0065]アプリケーションプロセッサ７３０は、ＵＥ１０２における動作を指示し得る。アプリケーションプロセッサ７３０はまた、本明細書で説明する技法のための他のプロセスを実行または指示し得る。メモリ７３２は、ＩＭＳ無線リソース管理（ＲＲＭ）７３４、ＩＭＳオプティマイザ７３５、ネットワークアドレス変換（ＮＡＴ）機能７３６、およびＩＭＳアプリケーションレイヤゲートウェイ（ＡＬＧ）７３７のためのコードを記憶し得る。アプリケーションプロセッサ７３０は、メモリ７３２からコードを読み取り得、ＩＭＳ  ＲＲＭ７３４、ＩＭＳオプティマイザ７３５、ＮＡＴ機能７３６、およびＩＭＳ  ＡＬＧ７３７を実行し得る。
【００４６】
[0066]図示のように、ＵＥ１０２はまた、１つまたは複数のアンテナ７２８を介したＷＬＡＮとの通信への（概して、ＷＬＡＮ無線機７２７として示される）回路を含み得る。ＷＬＡＮ無線機７２７は、ＷＷＡＮ（たとえば、ＷＬＡＮモデムプロセッサ、送信機、および受信機）を介して通信するための上記で説明した回路と同様の回路を含み得る。上記で説明したように、アプリケーションプロセッサ７３０は、アクセスポイントとして働き、ＷＬＡＮ接続の間でＷＷＡＮ接続を共有するためにソフトＡＰ１３４を実行する。
【００４７】
[0067]ｅＮＢ１０６において、送信機／受信機７４８は、ＵＥ１０２および他のＵＥとの無線通信をサポートし得る。コントローラ／プロセッサ７４０は、ＵＥとの通信のための様々な機能を実行し得る。アップリンク上で、ＵＥ１０２からのアップリンク信号は、アンテナ７４６を介して受信され、受信機７４８によって調整され、さらに、コントローラ／プロセッサ７４０によって処理されて、ＵＥ１０２によって送られたトラフィックデータとシグナリングメッセージとを復元し得る。ダウンリンク上で、トラフィックデータとシグナリングメッセージとは、コントローラ／プロセッサ７４０によって処理され、送信機７４８によって調整されて、ダウンリンク信号を生成し得、これは、ＵＥ１０２および他のＵＥにアンテナ７４６を介して送信され得る。コントローラ／プロセッサ７４０はまた、本明細書で説明する技法のための他のプロセスを実行または指示し得る。
【００４８】
[0068]ＭＭＥ１１２において、コントローラ／プロセッサ７５０は、ＵＥのための通信サービスをサポートするために様々な機能を実行し得る。メモリ７５２は、ＭＭＥ１１２のプログラムコードおよびデータを記憶し得る。通信ユニット７５４は、他のネットワークエンティティとの通信をサポートし得る。
【００４９】
[0069]図７に、ＵＥ１０２、ｅＮＢ１０６、およびＭＭＥ１１２の簡略化された設計を示す。概して、各エンティティは、任意の数の送信機、受信機、プロセッサ、コントローラ、メモリ、通信ユニットなどを含み得る。他のネットワークエンティティも同様の方法で実装され得る。
【００５０】
[0070]図８は、ＩＭＳ局（ＳＴＡ）を示す図８００である。アプリケーションプロセッサ８９２はまた、ボイスオーバーインターネットプロトコル（ＶｏＩＰ）、ビデオ電話（ＶＴ）、およびショートメッセージサービス（ＳＭＳ）などを含むＩＭＳサービス８８０をサポートするためにＩＭＳ構成要素８９４を実行し得る。アプリケーションプロセッサ８９２上で実行される１つまたは複数のアプリケーションは、ＩＭＳ構成要素８９４によって与えられたＩＭＳサービス８８０を採用し得る。この例では、アプリケーションは、特に、ＶＴアプリケーション８３０と、ＶｏＩＰアプリケーション８３２と、ＳＭＳアプリケーション８３４と、アドレス帳アプリケーション８３６と、インスタントメッセンジャーアプリケーション８３８と、ファイル共有アプリケーション８３９とを含む。
【００５１】
[0071]ＩＭＳ構成要素８９４は、ＩＭＳ  ＳＴＡ１７２上で提供されるマルチメディアサービスのための標準ベースのネットワーキングアーキテクチャを与え得る。ＩＭＳサービス８８０は、ＩＭＳシステム１５０またはリモートＩＭＳ  ＵＥ１７８と通信するためにＷＬＡＮモデム８９９を通してＩＭＳフレームワーク８９６とＩＭＳメディア機能８９７とを利用する。ＩＭＳフレームワーク８９６は、特に、コアディスパッチャ８５２と、セッション開始プロトコル（ＳＩＰ）機能８５４と、登録マネージャ８５６とを含み得る。
【００５２】
[0072]コアディスパッチャ８５２は、ＩＭＳサービス８８０のためのＩＭＳシステム１５０および／またはＩＭＳ  ＵＥ１７８との通信のためのアクセスポイントを与えるために１つまたは複数のＩＭＳ登録を使用し得る。コアディスパッチャ８５２は、ＩＭＳサービス８８０に関係するデータフローを扱い、ＩＭＳメディア機能８９７にデータフローを指示することができる。ＩＭＳサービス８８０は、ＩＭＳサービスタグを使用して登録され得る。コアディスパッチャ８５２は、ＩＭＳサービス８８０を登録するために使用されるＩＭＳサービスタグに基づいてＩＭＳメディア機能８９７からＩＭＳサービス８８０にデータフローをルーティングし得る。
【００５３】
[0073]ＩＭＳ登録は、ＩＰ、ＬＴＥおよび他のデータネットワークを介した音声呼およびビデオ呼などのサービスをサポートする通信セッションを制御するためにＳＩＰメッセージの交換を伴い得る。ＳＩＰは、通信セッションを確立し、変更し、終了するために使用され得、セッションは、ＩＭＳサービス８８０をサポートする複数のストリームのために使用され得る。ＳＩＰ機能８５４および登録マネージャ８５６は、ＩＭＳ登録をサポートするために使用され得る。ＩＭＳメディア機能８９７は、サービスデータフローをトランスポートするためにＩＭＳサービス８８０によって使用され得るＲＴＰ／ＲＴＣＰと他の機能８５８とを含む。
【００５４】
[0074]ソフトＡＰを与えるＵＥ１０２は、限られたリソースを有し得る。十分な調整およびリソース最適化がない場合、ベストエフォートトラフィックの場合とは異なり、ＵＥ１０２によるソフトＡＰプロバイドを通してネットワーク接続性にアクセスするＩＭＳ  ＳＴＡ１７２におけるＩＭＳサービスのユーザエクスペリエンスは悪化し得る。たとえば、いくつかの構成では、ＩＭＳ  ＳＴＡ１７２のＩＭＳ構成要素８９４は、ＵＥ１０２上のソフトＡＰ１３４と確立されるＷＬＡＮリンク１３８のためのＱｏＳパラメータをセットアップし得る。しかしながら、ソフトＡＰ１３４がＩＭＳ  ＳＴＡ１７２によって使用されるＩＭＳサービスに気づいていないことがあるので、ソフトＡＰ１３４は、ＬＴＥリンク１３９上で１つまたは複数のベストエフォートＥＰＳベアラをセットアップするようにＱｏＳ機能７１１とＷＷＡＮプロトコルスタック７１３としか依然として要求しないことがある。したがって、ベストエフォートＥＰＳベアラがＩＭＳサービスを搬送するために使用されることになる。これは、ＬＴＥリンク１３９よりも高いことがあるＷＬＡＮリンク１３８のスループットとして十分でないことがある。言い換えれば、単独でエンドツーエンドＱｏＳを有することは、関与する問題を解決しないことがある。問題に対処するために、承認制御の必要があり得る。より詳細には、ＬＴＥリンク１３９上で経験するスループットに基づいて、ＩＭＳ  ＳＴＡ１７２上で使用可能にされるユーザとサービスとの許容数が制御され得る。場合によっては、粗悪なユーザエクスペリエンスが存在し得る。
【００５５】
[0075]さらに、いくつかの構成では、ソフトＡＰ１３４は、常に、ＱｏＳ機能７１１を通して、ベストエフォートトラフィックについて多く検討することなしにＩＭＳサービスのためのＱｏＳ要件を有する１つまたは複数のＥＰＳベアラを予約し得る。したがって、ベストエフォートトラフィックは、十分なリソースを割り振られないことがある。従来のＱｏＳ方式は、これらのファクタを考慮しないことがある。さらに、従来の方式は、ＶｏＩＰサービスについてＬＴＥリンク１３９上でロバストヘッダ圧縮（ＲｏＨＣ）を使用可能にすることができないことがある。
【００５６】
[0076]さらに、いくつかの構成では、デジッタ（dejitter）バッファ、ＲＴＰ冗長性、バンドリングなどのＶｏＩＰパラメータおよびＶＴパラメータは、ただ１つのＲＡＴのためにチューニングされることがある。ソフトＡＰ１３４が、ＬＴＥリンク１３９とＷＬＡＮリンク１３８とをブリッジすること、およびＩＭＳ  ＳＴＡ１７２が、ＷＬＡＮリンク１３８にしか気づいていないことがあることを仮定すれば、ＷＬＡＮリンク１３８に基づいてＱｏＳパラメータのみを調整する従来のＱｏＳ方式は、ＷＬＡＮリンク１３８とＬＴＥリンク１３９との両方の上でトランスポートされるＩＭＳサービスパフォーマンスを最適化し得ない。
【００５７】
[0077]さらに、ＩＭＳ  ＳＴＡ１７２とＩＭＳ  ＵＥ１７８とはＶＴサービスを使用し得る。ＩＭＳ  ＳＴＡ１７２のためのＶＴ速度適応はＵＥ１０２上で実行され得る。ソフトＡＰ１３４は、ＩＭＳ  ＳＴＡ１７２がＷＬＡＮリンク１３８上にあると決定し得、ＷＬＡＮリンク１３８に基づいて速度を推定し得る。ソフトＡＰ１３４はＷＬＡＮリンク１３８に基づいてＱｏＳ、利用可能な瞬時ビットレートなどのようなパラメータを決定し得るので、速度推定は不正確になり得る。これは、準最適なＶＴ呼につながり得る。
【００５８】
[0078]さらに、ソフトＡＰ１３４を使用することは、ソフトＡＰ１３４を通してリレーされるＩＭＳサービスに追加の遅延をもたらし得る。従来のＱｏＳ方式は、ＷＷＡＮサービスに基づくベストエフォートトラフィック、ＷｉＦｉ（登録商標）オフロード、ＩＭＳ、および音声サービスポリシー管理を管理しないことがある。
【００５９】
[0079]上記で説明した問題に対処するために、ＵＥ１０２は、本明細書で説明する特徴を実装し得る。一例では、ＩＭＳ  ＳＴＡ１７２は、最初に、ＵＥ１０２上のソフトＡＰ１３４に関連付けられ、ソフトＡＰ１３４とＷＬＡＮリンク１３８を確立する。その後、アプリケーション８３０、８３２、８３４、８３６、８３８、８３９のうちの１つは、ＩＭＳ  ＵＥ１７８と通信するためにＩＭＳサービス８８０のうちの１つ（たとえば、ＶｏＩＰ）を使用しようと試み得る。したがって、ＳＩＰ機能８５４は、ＩＭＳ  ＵＥ１７８にアドレス指定されたＳＩＰメッセージ（たとえば、ＩＮＶＩＴＥ）を構築し得、ＣＳＣＦ１５２にルーティングするためのＳＩＰメッセージをソフトＡＰ１３４に送り得る。別の例では、ＩＭＳ  ＵＥ１７８は、ＩＭＳ  ＳＴＡ１７２とＩＭＳサービスを確立しようと試み得る。したがって、ソフトＡＰ１３４は、ＣＳＣＦ１５２から、ＩＭＳ  ＵＥ１７８から発信された、ＩＭＳ  ＳＴＡ１７２にルーティングされるべきＳＩＰメッセージ（たとえば、ＩＮＶＩＴＥ）を受信し得る。
【００６０】
[0080]ＳＩＰメッセージが暗号化されていないとき、ＩＭＳ  ＲＲＭ７３４は、ソフトＡＰ１３４において受信されたＳＩＰメッセージを監視またはインターセプトし、ＩＭＳ  ＲＲＭ７３４において構成された承認ポリシーに基づいてソフトＡＰ１３４がＳＩＰメッセージをさらにルーティングすべきかどうかを決定し得る。詳細には、ＩＭＳ  ＲＲＭ７３４は、特に、ＩＮＶＩＴＥ、ＩＭＳセッション確立、リアルタイム機能、および／または呼中アップグレード／ダウングレードシナリオに関するシグナリングメッセージを監視し得る。一例として、承認ポリシーは、以下のうちの１つまたは複数を指定し得る。
【００６１】
[0081]（１）（たとえば、ＮＵＭＢＥＲ＿ＯＦ＿ＵＳＥＲ＿ＯＮ＿ＳＯＦＴＡＰパラメータを介して）同時にソフトＡＰ１３４に関連付けられ得るＩＭＳ  ＳＴＡ１７２の数。
【００６２】
[0082]（２）（たとえば、ＮＵＭＢＥＲ＿ＯＦ＿ＩＭＳ＿ＵＳＥＲ＿ＯＮ＿ＳＯＦＴＡＰ＿ＷＩＴＨ＿ＶＯＩＰパラメータを介して）同時にソフトＡＰ１３４によってサポートされ得るＶｏＩＰを使用するＩＭＳアプリケーションの数。
【００６３】
[0083]（３）（たとえば、ＮＵＭＢＥＲ＿ＯＦ＿ＩＭＳ＿ＵＳＥＲ＿ＯＮ＿ＳＯＦＴＡＰ＿ＷＩＴＨ＿ＲＣＳ＿ＯＮＬＹパラメータを介して）同時にソフトＡＰ１３４によってサポートされ得るＲＣＳのみを使用するＩＭＳアプリケーションの数。
【００６４】
[0084]（４）（たとえば、ＮＵＭＢＥＲ＿ＯＦ＿ＩＭＳ＿ＳＥＳＳＩＯＮＳ＿ＯＮ＿ＳＯＦＴＡＰパラメータを介して）同時にソフトＡＰ１３４によってサポートされ得るＩＭＳセッションの数。
【００６５】
[0085]さらに、承認ポリシーは、ＩＭＳサービスのカテゴリー（タイプ）に基づいてＩＭＳサービスの制御承認を定義し得る。たとえば、ＶＴとＶｏＩＰとは、同じカテゴリーにあると見なされ得る。したがって、承認ポリシーは、以下の表（Ａ）に示すように許容されるＶｏＩＰ呼とＶＴ呼との数を指定し得る。
【００６６】
【表１】
0006423128.tif 000002
【００６７】
[0086]承認ポリシーによって指定されたパラメータは、最初に静的に構成され得、経験的に調整され得る。たとえば、これらのパラメータは、ＬＴＥリンク１３９上のＱｏＳ機能７１１とＷＷＡＮプロトコルスタック７１３とによってＵＥ１０２のために確立されたＥＰＳベアラのＱｏＳパラメータなどのチャネル状態に基づいてＩＭＳ  ＲＲＭ７３４によってベースで決定され得る。
【００６８】
[0087]さらに、ソフトＡＰ１３４は、ソフトＡＰ１３４によってビーアドミットされたすべてのＩＭＳサービスの記録を保ち得る。ソフトＡＰ１３４が新しいＩＭＳサービスまたは既存のＩＭＳサービスの変更を要求する新しいＳＩＰメッセージを受信すると、ＩＭＳ  ＲＲＭ７３４は、たとえば、現在承認されているＩＭＳサービスの数と承認ポリシーとに基づいてＳＩＰメッセージをルーティングすべきかどうかを決定し得る。
【００６９】
[0088]１つの技法では、ＩＭＳ  ＲＲＭ７３４は、受信されたＳＩＰメッセージ（たとえば、ＩＮＶＩＴＥ／Ｒｅ−ＩＮＶＩＴＥ／ＵＰＤＡＴＥ）のＩＭＳ通信サービス識別子（ＩＣＳＩ）を検査し、ＩＣＳＩに基づいて、ソフトＡＰ１３４を介してＩＭＳ  ＳＴＡ１７２が使用しようと試みる特定のＩＭＳサービスを決定し得る。ＩＭＳ  ＲＲＭ７３４は、特定のＩＭＳサービスのための承認ポリシーによって設定された制限に基づいて特定のＩＭＳサービスを要求するＳＩＰメッセージがソフトＡＰ１３４によってルーティングされるべきであるのかどうかを決定し得る。一例では、ＩＭＳ  ＳＴＡ１７２は、ＲＣＳ  ＩＭＳサービスを要求する第１のＳＩＰメッセージを送り得る。ＩＭＳ  ＵＥ１７８は、ＩＭＳ  ＳＴＡ１７２のうちの１つにＶｏＩＰ  ＩＭＳサービスを要求する第２のＳＩＰメッセージを送り得る。ＩＭＳ  ＲＲＭ７３４は、ソフトＡＰ１３４によってサポートされるＲＣＳ  ＩＭＳサービスが、承認ポリシーによって設定された制限に達した（たとえば、ＲＣＳ  ＩＭＳサービスの数がＮＵＭＢＥＲ＿ＯＦ＿ＩＭＳ＿ＵＳＥＲ＿ＯＮ＿ＳＯＦＴＡＰ＿ＷＩＴＨ＿ＲＣＳ＿ＯＮＬＹパラメータに等しくなる）と決定し得、ＩＭＳ  ＳＴＡ１７２から発信された第１のＳＩＰメッセージをさらにルーティングしないようにソフトＡＰ１３４に命令し得る。
【００７０】
[0089]ＩＭＳ  ＲＲＭ７３４は、ソフトＡＰ１３４によってサポートされるＶｏＩＰ  ＩＭＳサービスが、承認ポリシーによって設定された制限に達していない（たとえば、ＶｏＩＰ  ＩＭＳサービスの数がＮＵＭＢＥＲ＿ＯＦ＿ＩＭＳ＿ＵＳＥＲ＿ＯＮ＿ＳＯＦＴＡＰ＿ＷＩＴＨ＿ＶＯＩＰパラメータよりも小さくなる）と決定し得、ＩＭＳ  ＵＥ１７８から発信された第２のＳＩＰメッセージをさらにルーティングするようにソフトＡＰ１３４に命令し得る。
【００７１】
[0090]別の技法では、ＩＭＳ  ＲＲＭ７３４は、ソフトＡＰ１３４において受信されたＳＩＰメッセージをインターセプトし得、ＩＭＳ  ＳＴＡ１７２がソフトＡＰ１３４を介して使用しようと試みる特定のＩＭＳサービスのタイプを決定するために受信されたＳＩＰメッセージ（たとえば、ＩＮＶＩＴＥ／Ｒｅ−ＩＮＶＩＴＥ／ＵＰＤＡＴＥ）のタイプパラメータ（たとえば、「ｍ＝」セッション記述プロトコル（ＳＤＰ）パラメータ）を検査し得る。たとえば、タイプは、オーディオまたはビデオであり得る。ＩＭＳ  ＲＲＭ７３４は、特定のＩＭＳサービスのタイプための承認ポリシーによって設定された制限に基づいて特定のＩＭＳサービスを要求するＳＩＰメッセージがソフトＡＰ１３４によってルーティングされるべきであるのかどうかを決定し得る。
【００７２】
[0091]ＳＩＰメッセージがソフトＡＰ１３４によってさらにルーティングされるべきでないとＩＭＳ  ＲＲＭ７３４が決定すると、ＩＭＳ  ＲＲＭ７３４は、要求側（たとえば、ＩＭＳ  ＳＴＡ１７２またはＩＭＳ  ＵＥ１７８）にＳＩＰ応答メッセージを送るようにソフトＡＰ１３４に命令し得る。ＳＩＰ応答メッセージは、サービスが利用不可能であることを示すために５０３の原因コードを含み得る。ＳＩＰ応答メッセージは、サーバが保守を受けているかまたは一時的に過負荷になっており、したがって、要求を処理することができないことを要求側に示し得る。ＳＩＰ応答メッセージはまた、要求側がそれの要求を再び試み得るときを指定し得るＲｅｔｒｙ−Ａｆｔｅｒヘッダフィールドを含み得る。
【００７３】
[0092]ＳＩＰメッセージがソフトＡＰ１３４によってさらにルーティングされるべきであるとＩＭＳ  ＲＲＭ７３４が決定すると、ＩＭＳ  ＲＲＭ７３４は、ＳＩＰメッセージをさらにルーティングするようにソフトＡＰ１３４に命令し得る。したがって、ソフトＡＰ１３４は、ＮＡＴ機能７３６および／またはＩＭＳ  ＡＬＧ７３７にＳＩＰメッセージを送り、これは、ＷＬＡＮのＳＩＰメッセージのオブザＩＰアドレス／ポートをＷＷＡＮのＩＰアドレス／ポートに変換し得る。次いで、ＮＡＴ機能７３６および／またはＩＭＳ  ＡＬＧ７３７は、通信インターフェース７１５を通してＷＷＡＮプロトコルスタック７１３にＳＩＰメッセージを送る。ＷＷＡＮプロトコルスタック７１３は、次いで、ＬＴＥリンク１３９およびｅＮＢ１０６とサービングゲートウェイ１１６とＰＤＮゲートウェイ１１８とを接続するリンク上に確立されるＥＰＳベアラ上でＣＳＣＦ１５２にＳＩＰメッセージを送信する。
【００７４】
[0093]さらに、ＩＭＳ  ＵＥ１７８によって要求され、ＩＭＳ  ＳＴＡ１７２を対象とする特定のＩＭＳサービスをブロックすべきである場合、ＩＭＳ  ＲＲＭ７３４は、要求元ＩＭＳ  ＵＥ１７８に４０３の原因コードを含むＳＩＰメッセージを送り得、これは、要求が禁止されていることを示す。
【００７５】
[0094]さらに、ＩＭＳ  ＲＲＭ７３４は、ソフトＡＰ１３４を通してＩＭＳ  ＳＴＡ１７２によって使用される１つまたは複数のＩＭＳサービスをサポートするために十分なＱｏＳ要件をもつ１つまたは複数のＥＰＳベアラを確立するようにＱｏＳ機能７１１およびＷＷＡＮプロトコルスタック７１３に要求し得る。たとえば、ＩＭＳ  ＳＴＡ１７２は、ＶｏＩＰ  ＩＭＳサービスを要求するＩＭＳ  ＵＥ１７８のための第２のＳＩＰメッセージに応答し、ＩＭＳ  ＵＥ１７８とＩＭＳセッションを確立した後、ソフトＡＰ１３４は、ＷＷＡＮプロトコルスタック７１３を通して、十分なＱｏＳ要件をもって確立されたＥＰＳベアラ上でＶｏＩＰデータフローをＩＰサービス１２２に送り、これは、ＥＰＣ１９０にＶｏＩＰデータフローをルーティングする。ＥＰＣ１９０は次いで、Ｅ−ＵＴＲＡＮ１９４を介してＩＭＳ  ＵＥ１７８にＶｏＩＰデータフローを送る。
【００７６】
[0095]いくつかの構成では、ＩＭＳ  ＲＲＭ７３４は、ＩＭＳ付加サービスを扱うように構成され得る。たとえば、いくつかの状況では、第１のＩＭＳ  ＳＴＡ１７２は、ＵＥ１０２上のソフトＡＰ１３４を通して、第１のＥＰＳベアラ上で第１のＩＭＳ  ＵＥ１７８とのＩＭＳ  ＶｏＩＰ呼中にあり得る。ソフトＡＰ１３４は、第１のＩＭＳ  ＳＴＡ１７２とのＩＭＳ  ＶｏＩＰ呼を開始するように要求するＳＩＰメッセージを第２のＩＭＳ  ＵＥ１７８から受信し得る。第１のＩＭＳ  ＳＴＡ１７２が呼中にすでにあるので、ＩＭＳ  ＲＲＭ７３４は、ＳＩＰメッセージがＩＭＳ付加サービス（たとえば、呼保留）のためのものであり、新しいＩＭＳ  ＶｏＩＰサービスのためのものでないと決定し得る。ＩＭＳ  ＲＲＭ７３４は、ＩＭＳ付加サービスが承認ポリシーの対象になり得ないと決定し得る。ＩＭＳ  ＲＲＭ７３４は、第１のＩＭＳ  ＳＴＡ１７２にＳＩＰメッセージをルーティングするようにソフトＡＰ１３４に命令する。第１のＩＭＳ  ＳＴＡ１７２は、第２のＩＭＳ  ＵＥ１７８からの呼に答え、第１のＩＭＳ  ＵＥ１７８との呼を保留にするようにＩＭＳ  ＳＴＡ１７２が要求することを示すＳＩＰメッセージをソフトＡＰ１３４に送り得る。ＩＭＳ  ＲＲＭ７３４は、ＳＩＰメッセージをインターセプトし、ＣＳＣＦ１５２に変更されたＳＩＰメッセージを送ることを決定し得る。変更されたＳＩＰメッセージは、ＩＭＳ  ＳＴＡ１７２が、第２のＩＭＳ  ＵＥ１７８からの呼に答えるように要求するが、第１のＩＭＳ  ＳＴＡ１７２と第１のＩＭＳ  ＵＥ１７８との間の既存の呼を保留にするようにＩＭＳシステム１５０に要求しないことを示す。ＩＭＳ  ＲＲＭ７３４は、第１のＩＭＳ  ＳＴＡ１７２と第１のＩＭＳ  ＵＥ１７８との間の呼のための新しい第２のＥＰＳベアラを確立するかまたはそれに既存の第２のＥＰＳベアラを割り振るようにＱｏＳ機能７１１およびＷＷＡＮプロトコルスタック７１３に命令する。ＩＭＳ  ＲＲＭ７３４は、第１のＥＰＳベアラを維持し、保留中の第１のＩＭＳ  ＵＥ１７８にＥＰＳベアラ上で保留音楽データを送るようにソフトＡＰ１３４に要求する。ＩＭＳ  ＲＲＭ７３４は、第２のＥＰＳベアラ上で第１のＩＭＳ  ＳＴＡ１７２と第２のＩＭＳ  ＵＥ１７８との間で呼データをトランスポートするようにソフトＡＰ１３４に命令する。
【００７７】
[0096]いくつかの状況では、ソフトＡＰ１３４は、第１および第２のＩＭＳ  ＵＥ１７８から三者間通話ＶｏＩＰ  ＩＭＳサービスを要求する２つのＳＩＰメッセージを受信し得る。ＩＭＳ  ＲＲＭ７３４は、三者間通話ＶｏＩＰ  ＩＭＳサービスが１つのＥＰＳベアラしか必要としないと決定し得る。したがって、ＩＭＳ  ＲＲＭ  ７３４は、承認ポリシーに基づいて１つの追加のＶｏＩＰ  ＩＭＳサービスが承認され得るのかどうかを決定し得る。三者間通話ＶｏＩＰ  ＩＭＳサービスが承認ポリシーに基づいて承認され得る場合、ソフトＡＰ１３４は、相応して、三者間通話ＶｏＩＰ  ＩＭＳサービスのためのＥＰＳベアラを確立するようにＱｏＳ機能７１１およびＷＷＡＮプロトコルスタック７１３に要求する。
【００７８】
[0097]いくつかの状況では、第１のＩＭＳ  ＳＴＡ１７２は、ＵＥ１０２上のソフトＡＰ１３４を通して、第１のＥＰＳベアラ上で第１のＩＭＳ  ＵＥ１７８とのＩＭＳ  ＶｏＩＰ呼中にあり得る。ソフトＡＰ１３４は、第１のＩＭＳ  ＳＴＡ１７２と第１のＩＭＳ  ＵＥ１７８との間の呼（すなわち、電話会議）に加わるように要求するＳＩＰメッセージを第２のＩＭＳ  ＵＥ１７８から受信し得る。第１のＩＭＳ  ＳＴＡ１７２が電話会議として動作すべきである呼中にすでにあるので、ＩＭＳ  ＲＲＭ７３４は、ＳＩＰメッセージがＩＭＳ付加サービス（すなわち、電話会議）のためのものであり、新しいＩＭＳ  ＶｏＩＰサービスのためのものでないと決定し得る。ＩＭＳ  ＲＲＭ７３４は、ＩＭＳ付加サービスが承認ポリシーの対象になり得ないと決定し得る。したがって、ソフトＡＰ１３４は、短い時間の間第２のＥＰＳベアラを確立するようにＱｏＳ機能７１１およびＷＷＡＮプロトコルスタック７１３に要求し得る。第１のＩＭＳ  ＳＴＡ１７２と第２のＩＭＳ  ＵＥ１７８との間の呼は、第２のＥＰＳベアラ上で最初にトランスポートされ得る。その後、ＩＭＳシステム１５０は、２つの呼をマージし得、マージされた呼を第１のＥＰＳベアラと第２のＥＰＳベアラとのうちの１つの上でトランスポートするように指示する。マージされた呼をトランスポートするために使用されないＥＰＳベアラは除去され得る。
【００７９】
[0098]上記で説明したように、ＩＭＳ  ＲＲＭ７３４は、独立した呼としてＩＭＳ付加サービスのための承認制御を実行しないように構成され得る。ＩＭＳ付加サービスでは、最初に過渡状態にある特定のＩＭＳ  ＳＴＡ１７２への複数の呼があり得る。それにもかかわらず、複数の呼は、その後、単一の呼に合体され得、複数の呼をサポートするために追加のＥＰＳベアラを必要しないことがある。
【００８０】
[0099]いくつかの構成では、ＵＥ１０２上のソフトＡＰ１３４において受信されたＳＩＰメッセージは、（たとえば、インターネットプロトコルセキュリティプロトコル（ＩＰｓｅｃ）に従って）暗号化され得る。したがって、ＩＭＳ  ＲＲＭ７３４は、要求されたＩＭＳサービスを決定するためにシグナリングメッセージを調査することができないことがある。したがって、ＩＭＳ  ＲＲＭ７３４は、暗号化されたＳＩＰメッセージをさらにルーティングするようにソフトＡＰ１３４に命令し得る。ＩＭＳ  ＳＴＡ１７２は、相応して、ソフトＡＰ１３４を介してＩＭＳサービスを使用し得る。ＩＭＳ  ＲＲＭ７３４は、特定のＩＭＳ  ＳＴＡ１７２とソフトＡＰ１３４との間のＷＬＡＮリンク１３８上で使用されるＷｉ−Ｆｉマルチメディア（ＷＭＭ）アクセスカテゴリー（すなわち、ＷＭＭプロファイル）に基づいて特定のＩＭＳ  ＳＴＡ１７２がＩＭＳサービスを確立したのかどうかを決定し得る。ＷＭＭは、４つのアクセスカテゴリー、すなわち、音声（ＡＣ＿ＶＯ）、ビデオ（ＡＣ＿ＶＩ）、ベストエフォートデータ（ＡＣ＿ＢＥ）、およびバックグラウンドデータ（ＡＣ＿ＢＫ）を定義する。ソフトＡＰ１３４は、特定のＩＭＳ  ＳＴＡ１７２との間の音声ＩＭＳサービスデータフローを扱うためにＡＣ＿ＶＯを使用する。ソフトＡＰ１３４は、特定のＩＭＳ  ＳＴＡ１７２との間のビデオＩＭＳサービスデータフローを扱うためにＡＣ＿ＶＩを使用する。したがって、ＩＭＳ  ＲＲＭ７３４は、ソフトＡＰ１３４によって承認された音声およびビデオＩＭＳサービスの数を決定するためにデータフローに関連するＷＭＭアクセスカテゴリーをユーズドし得る。承認された音声またはビデオＩＭＳサービスの数が承認ポリシーによって設定された制限を上回る場合、ＩＭＳ  ＲＲＭ７３４は、音声またはビデオＩＭＳサービス（たとえば、最も最近承認されたもの）を選択するようにソフトＡＰ１３４に命令し、（たとえば、データフローをブロックすることによって）選択されたＩＭＳサービスにサービス拒否を生起させ得る。その後、選択されたＩＭＳサービスは、ＩＭＳ  ＳＴＡ１７２によって解放され得る。
【００８１】
[00100]このようにして、ＩＭＳ  ＲＲＭ７３４は、ＷＭＭプロファイルに基づいて承認されたビデオおよび音声ＩＭＳサービスの数を制御することができる。一例では、ソフトＡＰ１３４は、いくつかのＷＭＭアクセスカテゴリーの活動に基づいて状態機械を構築することができる。音声またはビデオパケットが交換されるとき、アクセスカテゴリーは、ＡＣ＿ＶＯまたはＡＣ＿ＶＩにマッピングされる。したがって、ＩＭＳ  ＲＲＭ７３４は、音声またはビデオＩＭＳサービスが進行中であることを検出することができる。ＬＴＥリンク１３９から受信され、ＩＭＳ  ＳＴＡ１７２を対象とするデータパケットの場合、ＩＭＳ  ＲＲＭ７３４は、シミラーに、データパケットの差分サービスコードポイント（ＤＳＣＰ：differentiated services code point）を検査し、データパケットが音声データフローに属するのかまたはビデオデータフローに属するのかを決定することができる。したがって、ＩＭＳ  ＲＲＭ７３４はまた、ＬＴＥリンク１３９上で音声ＩＭＳサービスが進行中であるのかまたはビデオＩＭＳサービスが進行中であるのかを決定することができる。
【００８２】
[00101]特定のＩＭＳ  ＳＴＡ１７２のための音声またはビデオＩＭＳサービスが終了されると、そこは、ソフトＡＰ１３４とソフトＡＰ１３４との間のＷＬＡＮリンク１３８上でＡＣ＿ＶＯまたはＡＣ＿ＶＩをもつパケットをこれ以上決意しない。したがって、ＩＭＳ  ＲＲＭ７３４がＷＬＡＮリンク１３８上でＡＣ＿ＢＥおよびＡＣ＿ＢＣをもつパケットだけを検出する期間の後に、ＩＭＳ  ＲＲＭ７３４は、ＷＬＡＮリンク１３８上の音声またはビデオＩＭＳサービスが終了されたと決定することができる。
【００８３】
[00102]いくつかの構成では、ＵＥ１０２は、接続モード間欠受信（ＣＤＲＸ：connected mode discontinuous reception）機構をサポートし得、これは、ＵＥ１０２がスリープ状態と覚醒状態との間でシグナリングフリーな遷移を行うことを可能にする。ＵＥ１０２はまた、半永続的スケジューリング（ＳＰＳ：semi-persistent scheduling）をサポートし得る。より短いエンドツーエンド遅延を可能にするために、ソフトＡＰ１３４が２つ以上のＩＭＳサービス（たとえば、ＶｏＩＰまたはＶＴ）を扱うとき、ＩＭＳ  ＲＲＭ７３４は、ＣＤＲＸおよびＳＰＳ特徴を無効化するようにモデムプロセッサ７１０に要求し得る。２つ以上のＩＭＳサービス（たとえば、ＶｏＩＰまたはＶＴ）がＵＥ１０２と確立されるとき、ＥＰＣ１１０は、複数のＩＭＳサービスに必要なＱｏＳを適宜に許可する必要があり得る。このシナリオでは、ｅＮＢ１０６は、ＵＥ１０２の（ＣＤＲＸとＳＰＳとを含む）すべてのＲＡＮ特徴をオフにするように選定することができる。
【００８４】
[00103]さらに、ＩＭＳ  ＲＲＭ７３４は、ＷＷＡＮプロトコルスタック７１３からサービス固有アクセス制御（ＳＳＡＣ：service specific access control）情報を取得し得る。ソフトＡＰ１３４において受信されるＳＩＰメッセージが暗号化されていないとき、ＩＭＳ  ＲＲＭ７３４は、ＳＩＰメッセージを検査し、要求されたＩＭＳサービスを決定し得る。ＩＭＳ  ＲＲＭ７３４は、ＳＳＡＣ情報により要求されたＩＭＳサービスが制限またはブロックされるべきサービスであるのかどうかに基づいてＳＩＰメッセージをさらにルーティングすべきかどうかを決定し得る。
【００８５】
[00104]いくつかの構成では、ＱｏＳ機能７１１およびＷＷＡＮプロトコルスタック７１３は、ＬＴＥリンク１３９上で受信されたＤＬパケットのＩＰヘッダ中の明示的輻輳通知（ＥＣＮ：explicit congestion notification）を検出し得る。ＩＭＳ  ＲＲＭ７３４は、ＱｏＳ機能７１１およびＬＴＥリンク１３９からＥＣＮを取得し得、適切な行為をとり得る。たとえば、ＩＭＳ  ＲＲＭ７３４は、パケットを選択的にドロップすることができる。一例では、ＩＭＳ  ＲＲＭ７３４は、ビデオおよびオーディオのために使用されるＩＭＳ  ＳＴＡ１７２にあるポートのポート番号を取得することができる。ＩＭＳ  ＲＲＭ７３４は、次いで、たとえば、すべてのビデオパケットをドロップし、オーディオパケットのみを転送するようにソフトＡＰ１３４に命令し得る。
【００８６】
[00105]図９は、ＩＭＳ  ＵＥおよびＩＭＳ  ＳＴＡにおけるＩＭＳサービスパラメータを管理するためのシーケンスを示す図９００である。この例では、動作９２２において、ＩＭＳ  ＳＴＡ１７２は、ＵＥ１０２、ＥＰＳ１００、ＩＭＳシステム１５０を介して、ＩＭＳ  ＵＥ１７８とＩＭＳサービス（たとえば、ＶｏＩＰ、ＶＴ）を確立するためのＳＩＰメッセージを交換し得る。動作９２６において、ＳＩＰメッセージに基づいてＩＭＳセッションを正常にセットアップすると、ＩＭＳ  ＳＴＡ１７２は、選択されたトランスポートプロトコルを使用することによってＵＥ１０２およびＥＰＳ１００を通してＩＭＳ  ＵＥ１７８とのメディア経路をセットアップするためにＩＭＳメディア機能８９７を利用し得る。この例では、メディア経路は、ＲＴＰ／ＲＴＣＰプロトコルを使用する。動作９２８において、ＩＭＳオプティマイザ７３５は、ソフトＡＰ１３４からＳＩＰメッセージおよび／またはＲＴＰメッセージを取得し、ＲＴＰデータフローを受信するためにＩＭＳ  ＵＥ１７８のＩＰアドレスとＩＭＳ  ＵＥ１７８によって使用されるポート番号とを決定するためにＳＩＰメッセージおよび／またはＲＴＰメッセージを検査し得る。ＵＥ１０２のＩＭＳマネージャ１３６は、ＩＭＳオプティマイザ７３５のための別個の同期ソース（ＳＳＲＣ：synchronization source）識別子を随意にネゴシエートし得る。
【００８７】
[00106]動作９３０において、ＩＭＳ  ＳＴＡ１７２とＩＭＳ  ＵＥ１７８とは、ＵＥ１０２およびＥＰＳ１００を介して互いにＩＭＳサービスデータ（たとえば、ＶｏＩＰ、ＶＴ）を送る。動作９３２において、ＩＭＳオプティマイザ７３５は、ＩＭＳ  ＳＴＡ１７２がソフトＡＰを介してＷＷＡＮリンクにアクセスしているとＩＭＳ  ＵＥ１７８に通知することを決定し得る。この例では、ＩＭＳ  ＳＴＡ１７２とＩＭＳ  ＵＥ１７８とはそれぞれ、メディア経路を制御するために特定のＲＴＣＰアプリケーションを使用し得る。動作９３４において、ＩＭＳオプティマイザ７３５は、ＩＭＳ  ＳＴＡ１７２がソフトＡＰを介してＷＷＡＮリンクにアクセスしているとＩＭＳ  ＵＥ１７８に通知するためにＩＭＳ  ＵＥ１７８に、決定されたＩＰアドレスとポート番号とに基づいて、ＲＴＣＰアプリケーションメッセージ（たとえば、ＲＴＣＰ  ＡＰＰメッセージ）などのアプリケーションレイヤメッセージ（すなわち、アプリケーション固有情報）を送り得る。代替的に、ＩＭＳオプティマイザ７３５は、ＩＭＳ  ＳＴＡ１７２がソフトＡＰを介してＷＷＡＮリンクにアクセスしているとＩＭＳ  ＳＴＡ１７２に通知するためにＩＭＳ  ＳＴＡ１７２に、決定されたＩＰアドレスとポート番号とに基づいて、ＲＴＣＰアプリケーションメッセージ（たとえば、ＲＴＣＰ  ＡＰＰメッセージ）などのアプリケーションレイヤメッセージ（すなわち、アプリケーション固有情報）を送り得るこのメッセージに基づいて、ＩＭＳ  ＳＴＡ１７２は、ＩＭＳ  ＳＴＡ１７２がソフトＡＰを介してＷＷＡＮリンクにアクセスしているとＩＭＳ  ＵＥ１７８に通知するためにＩＭＳ  ＵＥ１７８に、ＲＴＣＰアプリケーションメッセージ（たとえば、ＲＴＣＰ  ＡＰＰメッセージ）などのアプリケーションレイヤメッセージ（すなわち、アプリケーション固有情報）を送り得る。アプリケーションレイヤメッセージはまた、ＵＥ１０２におけるＲＡＴ情報とＩＭＳサービス環境固有情報とを含み得る（たとえば、ＥＰＳベアラ関連）。ＩＭＳオプティマイザ７３５は後で、ＥＰＳベアラ関連情報のいずれかが変更された場合ＩＭＳ  ＵＥ１７８またはＩＭＳ  ＳＴＡ１７２に通知し得る。動作９３８において、ＩＭＳ  ＵＥ１７８は、ＩＭＳ  ＳＴＡ１７２がソフトＡＰを介してＷＷＡＮリンクにアクセスしているとＩＭＳ  ＳＴＡ１７２に通知するためにＩＭＳ  ＳＴＡ１７２にＲＴＣＰアプリケーションメッセージ（たとえば、ＲＴＣＰ  ＡＰＰメッセージ）などのアプリケーションレイヤメッセージ（すなわち、アプリケーション固有情報）を送り得る。アプリケーションレイヤメッセージはまた、ＩＭＳ  ＵＥ１７８におけるＲＡＴ情報とＩＭＳサービス環境固有情報とを含み得る。動作９４２において、ＩＭＳ  ＳＴＡ１７２は、ＩＭＳ  ＵＥ１７８にＲＴＣＰアプリケーションメッセージ（たとえば、ＲＴＣＰ  ＡＰＰメッセージ）などのアプリケーションレイヤメッセージ（すなわち、アプリケーション固有情報）を送り得る。アプリケーションレイヤメッセージはまた、ＩＭＳ  ＳＴＡ１７２におけるＲＡＴ情報とＩＭＳサービス環境固有情報とを含み得る。
【００８８】
[00107]動作９４３において、ＩＭＳ  ＵＥ１７８は、ＩＭＳ  ＳＴＡ１７２およびＵＥ１０２に対応する受信されたＲＡＴ情報およびＩＭＳサービス環境固有情報を処理する。動作９４５において、ＩＭＳ  ＵＥ１７８は、相応して、デジッタバッファ、冗長性などのＩＭＳサービスパラメータを調整し得る。たとえば、ＩＭＳ  ＳＴＡ１７２がＬＴＥリンクにアクセスしていることを学習した後に、ＩＭＳ  ＵＥ１７８は、ジッタ（jitter）と遅延とがＷＬＡＮリンクのためのものよりも小さくなると決定し得る。したがって、ＩＭＳ  ＵＥ１７８は、エンドツーエンドのボイスパケット遅延を改善するためにデジッタバッファの上限を減少させ得る。ＩＭＳ  ＵＥ１７８はまた、パケット冗長性、バンドリングなどが必要でないことがあると決定し、相応して、これらの機能を適用し得る
[00108]動作９４４において、ＩＭＳ  ＳＴＡ１７２は、ＩＭＳ  ＵＥ１７８およびＵＥ１０２に対応する受信されたＲＡＴ情報およびＩＭＳサービス環境固有情報を処理する。動作９４６において、ＩＭＳ  ＳＴＡ１７２は、ソフトＡＰ１３４がＬＴＥリンク上で動作しているとの決定が動作９４２におけるメッセージの受信より前に行われなかった場合そのように決定する。ＩＭＳ  ＳＴＡ１７２は、相応して、デジッタバッファ、冗長性などのＩＭＳサービスパラメータを調整し得る。さらに、ＩＭＳ  ＳＴＡ１７２は、ＩＭＳ  ＵＥ１７８およびＵＥ１０２における受信されたＲＡＴ情報とＩＭＳサービス環境固有情報とに基づいてＩＭＳサービスパラメータをさらに調整し得る。たとえば、ＩＭＳ  ＳＴＡ１７２がＬＴＥリンクにアクセスしていることを学習した後に、ＩＭＳ  ＵＥ１７８は、ジッタと遅延とがＷＬＡＮリンクのためのものよりも小さくなると決定し得る。したがって、ＩＭＳ  ＳＴＡ１７２は、デジッタバッファの上限を低減し得る。ＩＭＳ  ＳＴＡ１７２はまた、パケット冗長性、バンドリングなどが必要でないことがあると決定し得る。
【００８９】
[00109]ＩＭＳサービスパラメータを調整した後に、動作９４８において、ＩＭＳ  ＳＴＡ１７２とＩＭＳ  ＵＥ１７８とは、ＵＥ１０２およびＥＰＳ１００を介して互いにＩＭＳサービスデータ（たとえば、ＶｏＩＰ、ＶＴ）を送る。
【００９０】
[00110]その後、動作９５２において、ＩＭＳオプティマイザ７３５は、ＵＥ１０２におけるＥＰＳベアラ関連情報が変更されたと決定する。ＩＭＳオプティマイザ７３５は、さらに、変更に関してＩＭＳ  ＵＥ１７８に通知することを決定する。動作９５６において、ＩＭＳオプティマイザ７３５は、変更に関してＩＭＳ  ＵＥ１７８に通知するためにＩＭＳ  ＵＥ１７８にＲＴＣＰアプリケーションメッセージなどのアプリケーションレイヤメッセージ（すなわち、アプリケーション固有情報）を送り得る。動作９６０において、ＩＭＳ  ＵＥ１７８は、相応して、デジッタバッファ、冗長性などのＩＭＳサービスパラメータを調整し得る。
【００９１】
[00111]図１０は、ＩＭＳ  ＵＥおよびＩＭＳ  ＳＴＡにおけるＩＭＳサービス速度適応パラメータを管理するためのシーケンスを示す図１０００である。この例では、動作１０２２において、ＩＭＳ  ＳＴＡ１７２は、ＵＥ１０２、ＥＰＳ１００、ＩＭＳシステム１５０を介して、ＩＭＳ  ＵＥ１７８とＩＭＳサービス（たとえば、ＶＴ）を確立するためのＳＩＰメッセージを交換し得る。ＳＩＰメッセージに基づいてＩＭＳセッションを正常にセットアップすると、ＩＭＳ  ＳＴＡ１７２は、選択されたトランスポートプロトコルを使用することによってＵＥ１０２およびＥＰＳ１００を通してＩＭＳ  ＵＥ１７８とのメディア経路をセットアップするためにＩＭＳメディア機能８９７を利用し得る。この例では、メディア経路は、ＲＴＰ／ＲＴＣＰプロトコルを使用する。動作１０２６において、ＩＭＳ  ＳＴＡ１７２とＩＭＳ  ＵＥ１７８とは、ＵＥ１０２およびＥＰＳ１００を介して互いにＩＭＳサービスデータ（たとえば、ＶＴ）を送る。
【００９２】
[00112]動作１０２８において、ＩＭＳオプティマイザ７３５は、ソフトＡＰ１３４からＳＩＰメッセージおよび／またはＲＴＰメッセージを取得し、ＲＴＰデータフローを受信するためにＩＭＳ  ＵＥ１７８のＩＰアドレスとＩＭＳ  ＵＥ１７８によって使用されるポート番号とを決定するためにＳＩＰメッセージおよび／またはＲＴＰメッセージを検査し得る。ＩＭＳオプティマイザ７３５はまた、ＩＭＳ  ＵＥ１７８におけるＶＴ構成を決定し得る。ＵＥ１０２におけるＩＭＳ機能は、ＩＭＳオプティマイザ７３５のための別個の同期ソース（ＳＳＲＣ）識別子を随意にネゴシエートし得る。
【００９３】
[00113]動作１０３２において、ＩＭＳオプティマイザ７３５は、ＱｏＳ機能７１１およびＷＷＡＮプロトコルスタック７１３から、ＩＭＳサービス（たとえば、ＶＴ）をトランスポートするために確立されたＥＰＳベアラに関する情報を取得する。ＩＭＳオプティマイザ７３５は、ＩＭＳサービス（たとえば、ＶＴ）のために使用される確立されたＥＰＳベアラのための推定されるＵＬ速度およびＤＬ速度を生成し得る。さらに、この例では、ＩＭＳ  ＳＴＡ１７２とＩＭＳ  ＵＥ１７８とはそれぞれ、メディア経路を制御するために特定のＲＴＣＰアプリケーションを使用し得る。
【００９４】
[00114]動作１０３６において、ＩＭＳオプティマイザ７３５は、推定されるＵＬ速度およびＤＬ速度をＩＭＳ  ＵＥ１７８に通知するためにＩＭＳ  ＵＥ１７８に決定されたＩＰアドレスおよびポート番号に基づいてＲＴＣＰアプリケーションメッセージなどのアプリケーションレイヤメッセージ（すなわち、アプリケーション固有情報）を送り得る。代替的に、ＩＭＳオプティマイザ７３５は、ソフトＡＰを介して提供される推定されるＵＬ速度およびＤＬ速度をＩＭＳ  ＳＴＡ１７２に通知するためにＩＭＳ  ＳＴＡ１７２に、決定されたＩＰアドレスとポート番号とに基づいて、ＲＴＣＰアプリケーションメッセージ（たとえば、ＲＴＣＰ  ＡＰＰメッセージ）などのアプリケーションレイヤメッセージ（すなわち、アプリケーション固有情報）を送り得る。このメッセージに基づいて、ＩＭＳ  ＳＴＡ１７２は、ＩＭＳ  ＳＴＡ１７２に提供される推定されるＵＬ速度およびＤＬ速度に関してＩＭＳ  ＵＥ１７８に通知するためにＩＭＳ  ＵＥ１７８にＲＴＣＰアプリケーションメッセージ（たとえば、ＲＴＣＰ  ＡＰＰメッセージ）などのアプリケーションレイヤメッセージ（すなわち、アプリケーション固有情報）を送り得る。動作１０４０において、ＩＭＳ  ＵＥ１７８は、推定されるＵＬ速度およびＤＬ速度を受信する。動作１０４４において、ＩＭＳ  ＵＥ１７８は、ＩＭＳ  ＵＥ１７８におけるＶＴ速度適応のために推定されるＵＬ速度およびＤＬ速度を使用し得る。
【００９５】
[00115]いくつかの構成では、ＩＭＳ  ＳＴＡ１７２上のインスタントメッセンジャーアプリケーション８３８およびファイル共有アプリケーション８３９は、ＩＭＳサービス内のメッセージセッションリレープロトコル（ＭＳＲＰ）またはＨＴＴＰ／ウェブソケットプロトコルを使用し得る。ＷＬＡＮリンク１３８上の、ＭＳＲＰおよびＨＴＴＰ／Ｗｅｂｓｏｃｋｅｔｓパケット中で搬送されるＩＭＳ  ＳＴＡ１７２のＩＰアドレスは、ＮＡＴ機能７３６およびＩＭＳ  ＡＬＧ７３７によってＬＴＥリンク１３９上のＩＰアドレスに変換される必要があり得る。ＮＡＴ機能７３６およびＩＭＳ  ＡＬＧ７３７は、次いで、変換されたＩＰアドレスをもつパケットをＷＷＡＮプロトコルスタック７１３に送り、これは、相応して、ＬＴＥリンク１３９上でパケットを送信する。
【００９６】
[00116]いくつかの構成では、ＵＥ１０２のソフトＡＰ１３４とＩＭＳマネージャ１３６とは、オフロードポリシーに基づいてインターネットトラフィックを扱い得る。オフロードポリシーは、オンザＵＥ１０２がマクロ（ＬＴＥ／２Ｇ／３Ｇ）フットプリント上にある間はＵＥ１０２がＷｉＦｉにインターネットトラフィックをオフロードし得ないことを定義し得る。ＵＥ１０２は、ＵＥ１０２がセルラーフットプリントの範囲外にあるときにのみＷｉＦｉにインターネットをオフロードし得る。さらに、オフロードポリシーは、事業者が信用するＷｉＦｉホットスポットのみにＵＥ１０２がインターネットトラフィックをオフロードし得ることを定義し得る。さらに、オフロードポリシーは、ＵＥ１０２が一般的なＷｉＦｉホットスポットのみにインターネットトラフィックをオフロードし得ることを定義し得る。さらに、オフロードポリシーは、ＵＥ１０２がＬＴＥリンク上でのみＩＭＳおよびＲＣＳをトランスポートすることを定義し得、ＵＥ１０２は、ＵＥ１０２がＬＴＥフットプリントの範囲外にあるときに２Ｇ／３Ｇを介してボイスデータをトランスポートし得る。
【００９７】
[00117]図１１は、ソフトＡＰを通して提供されるＩＭＳサービスを管理する方法（プロセス）のフローチャート１１００である。本装置は、ＵＥ（たとえば、ＵＥ１０２、装置２００２／２００２’）であり得る。動作１１１３において、ＵＥは、ＷＷＡＮ  ＲＡＴを通して基地局とのＷＷＡＮ通信リンクを確立する。動作１１１６において、ＵＥは、ＷＬＡＮ  ＲＡＴを通して少なくとも１つの第２のＵＥにＷＷＡＮ通信リンクにアクセスするアクセスポイントを与える。動作１１１９において、ＵＥは、ＷＷＡＮ通信リンクのチャネル状態を決定する。動作１１２３において、ＵＥは、チャネル状態に基づいて基地局と少なくとも１つの第２のＵＥとの間の少なくとも１つのマルチメディアサービスを管理する。いくつかの構成では、少なくとも１つのマルチメディアサービスは、ＩＭＳサービス、ビデオ電話サービス、リッチ通信サービス、またはそれらの任意の組合せを含む。いくつかの構成では、動作１１２３内に、ＵＥは、動作１１２６において、少なくとも１つの第２のＵＥのＵＥの数または少なくとも１つのマルチメディアサービスのサービスの数のうちの少なくとも１つに基づいて第１のＵＥにおけるＷＷＡＮ通信リンクのＱｏＳパラメータを調整する。いくつかの構成では、少なくとも１つのマルチメディアサービスの管理は、インターネットトラフィックオフロードを管理することを含む。たとえば、図９を参照すると、ＩＭＳオプティマイザ７３５は、ＩＭＳ  ＳＴＡ１７２とＩＭＳ  ＵＥ１７８との間で通信されるＳＩＰメッセージをインターセプトし得、相応して、ＩＭＳ  ＳＴＡ１７２およびＩＭＳ  ＵＥ１７８における呼パラメータを管理し得る。
【００９８】
[00118]図１２は、チャネル状態に基づいて基地局とＵＥとの間の少なくとも１つのマルチメディアサービスを管理する第１の方法（プロセス）のフローチャート１２００である。本方法は、図１１に示した動作１１２３内で実行され得る。より詳細には、動作１２１３において、ＵＥは、基地局と少なくとも１つの第２のＵＥとの間で通信される少なくとも１つのマルチメディアサービスの第１のマルチメディアサービスのための要求シグナリングメッセージをインターセプトする。要求シグナリングメッセージは、少なくとも１つの第２のＵＥが第１のマルチメディアサービスに加わるように要求することを示す。動作１２１６において、ＵＥは、要求シグナリングメッセージに基づいて第１のマルチメディアサービスのサービスタイプを決定する。動作１２１９において、ＵＥは、チャネル状態と、決定されたサービスタイプを有する少なくとも１つのマルチメディアサービスのマルチメディアサービスの数とに基づいて（たとえば、バックオフに）シグナリングメッセージを転送するかまたは応答メッセージを送ることを決定する。いくつかの構成では、応答メッセージは、バックオフのための原因コードを含む。いくつかの構成では、応答メッセージは、サービス拒否を示す。たとえば、図７を参照すると、ＩＭＳ  ＲＲＭ７３４は、ＶｏＩＰおよびＶＴ  ＩＭＳサービスのサービスタイプを決定し得、ＶｏＩＰおよびＶＴ  ＩＭＳサービスを相応して管理する。
【００９９】
[00119]図１３は、チャネル状態に基づいて基地局とＵＥとの間の少なくとも１つのマルチメディアサービスを管理する第２の方法（プロセス）のフローチャート１３００である。本方法は、図１１に示した動作１１２３内で実行され得る。より詳細には、動作１３１３において、ＵＥは、基地局と少なくとも１つの第２のＵＥとの間で通信される少なくとも１つのマルチメディアサービスの第１のマルチメディアサービスのためのセッションシグナリングメッセージをインターセプトする。動作１３１６において、ＵＥは、セッションメッセージに基づいて第１のマルチメディアサービスのサービスタイプをアする。動作１３１９において、ＵＥは、チャネル状態と、決定されたサービスタイプを有する少なくとも１つのマルチメディアサービスのマルチメディアサービスの数とに基づいてセッションシグナリングメッセージを転送するかまたは応答メッセージを送ることを決定する。たとえば、図７を参照すると、ＩＭＳ  ＲＲＭ７３４は、ソフトＡＰ１３４において受信されたＳＩＰメッセージをインターセプトし得、ＩＭＳ  ＳＴＡ１７２がソフトＡＰ１３４を介して使用しようと試みる特定のＩＭＳサービスのタイプを決定するために受信されたＳＩＰメッセージ（たとえば、ＩＮＶＩＴＥ／Ｒｅ−ＩＮＶＩＴＥ／ＵＰＤＡＴＥ）のタイプパラメータ（たとえば、「ｍ＝」セッション記述プロトコル（ＳＤＰ）パラメータ）を検査し得る。
【０１００】
[00120]図１４は、チャネル状態に基づいて基地局とＵＥとの間の少なくとも１つのマルチメディアサービスを管理する第３の方法（プロセス）のフローチャート１４００である。本方法は、図１１に示した動作１１２３内で実行され得る。より詳細には、動作１４１３において、ＵＥは、少なくとも１つの第２のＵＥのＷｉＦｉＷＭＭプロファイルを検出する。動作１４１６において、ＵＥは、ＷＭＭプロファイルに基づいて基地局と少なくとも１つの第２のＵＥとの間で通信される少なくとも１つのマルチメディアサービスの第１のマルチメディアサービスのサービスタイプを決定する。動作１４１９において、ＵＥは、チャネル状態と、決定されたサービスタイプを有する少なくとも１つのマルチメディアサービスのマルチメディアサービスの数とに基づいてセッションシグナリングメッセージを転送するかまたは応答メッセージを送ることを決定する。たとえば、図７を参照すると、ＩＭＳ  ＲＲＭ７３４は、特定のＩＭＳ  ＳＴＡ１７２とソフトＡＰ１３４との間のＷＬＡＮリンク１３８上で使用されるＷｉ−Ｆｉマルチメディア（ＷＭＭ）アクセスカテゴリー（すなわち、ＷＭＭプロファイル）に基づいて特定のＩＭＳ  ＳＴＡ１７２がＩＭＳサービスを確立したのかどうかを決定し得る。ＷＭＭは、４つのアクセスカテゴリー、すなわち、音声（ＡＣ＿ＶＯ）、ビデオ（ＡＣ＿ＶＩ）、ベストエフォートデータ（ＡＣ＿ＢＥ）、およびバックグラウンドデータ（ＡＣ＿ＢＫ）を定義する。このようにして、ＩＭＳ  ＲＲＭ７３４は、ＷＭＭプロファイルに基づいて承認されたビデオおよび音声ＩＭＳサービスの数を制御することができる。
【０１０１】
[00121]図１５は、チャネル状態に基づいて基地局とＵＥとの間の少なくとも１つのマルチメディアサービスを管理する第４の方法（プロセス）のフローチャート１５００である。本方法は、図１１に示した動作１１２３内で実行され得る。より詳細には、動作１５１３において、ＵＥは、少なくとも１つの第２のＵＥと基地局との間で補助マルチメディアサービスを確立するためのシグナリングメッセージをインターセプトする。動作１５１６において、ＵＥは、ＷＷＡＮ通信リンク上で追加のベアラを確立する。動作１５１９において、ＵＥは、補助マルチメディアサービスを提供するために追加のベアラを使用する。たとえば、図７を参照すると、ＩＭＳ  ＲＲＭ７３４は、三者間通話ＶｏＩＰ  ＩＭＳサービスが１つのＥＰＳベアラしか必要としないと決定し得る。したがって、ＩＭＳ  ＲＲＭ  ７３４は、承認ポリシーに基づいて１つの追加のＶｏＩＰ  ＩＭＳサービスが承認され得るのかどうかを決定し得る。三者間通話ＶｏＩＰ  ＩＭＳサービスが承認ポリシーに基づいて承認され得る場合、ソフトＡＰ１３４は、相応して、三者間通話ＶｏＩＰ  ＩＭＳサービスのためのＥＰＳベアラを確立するようにＱｏＳ機能７１１およびＷＷＡＮプロトコルスタック７１３に要求する。
【０１０２】
[00122]図１６は、チャネル状態に基づいて基地局とＵＥとの間の少なくとも１つのマルチメディアサービスを管理する第５の方法（プロセス）のフローチャート１６００である。本方法は、図１１に示した動作１１２３内で実行され得る。より詳細には、動作１６１３において、ＵＥは、第３のＵＥと少なくとも１つの第２のＵＥとの間のシグナリングメッセージをインターセプティングする。第１のＵＥは、ＷＷＡＮ通信リンクと基地局とを通して第３のＵＥと通信している。動作１６１６において、ＵＥは、少なくとも１つの第２のＵＥと第３のＵＥとの間の少なくとも１つのマルチメディアサービスと少なくとも１つの第２のＵＥの通信エンドポイント特性とを与えるために使用されるべきアプリケーションを決定する。動作１６１９において、ＵＥは、アプリケーションに固有の指示メッセージを生成し、第３のＵＥに指示メッセージをセンディング（sending）する。指示メッセージは、少なくとも１つの第２のＵＥの通信エンドポイント特性を含み、少なくとも１つの第２のＵＥがアクセスポイントを通してＷＷＡＮ通信リンクと通信していることを示す。たとえば、図９を参照すると、ＩＭＳオプティマイザ７３５は、ＩＭＳ  ＳＴＡ１７２がソフトＡＰを介してＷＷＡＮリンクにアクセスしているとＩＭＳ  ＵＥ１７８に通知するためにＩＭＳ  ＵＥ１７８に、決定されたＩＰアドレスとポート番号とに基づいて、ＲＴＣＰアプリケーションメッセージなどのアプリケーションレイヤメッセージ（すなわち、アプリケーション固有情報）を送り得る。アプリケーションレイヤメッセージはまた、ＵＥ１０２におけるＲＡＴ情報とＩＭＳサービス環境固有情報とを含み得る（たとえば、ＥＰＳベアラ関連）。ＩＭＳオプティマイザ７３５は後で、ＥＰＳベアラ関連情報のいずれかが変更された場合ＩＭＳ  ＵＥ１７８に通知し得る。
【０１０３】
[00123]図１７は、チャネル状態に基づいて基地局とＵＥとの間の少なくとも１つのマルチメディアサービスを管理する第６の方法（プロセス）のフローチャート１７００である。本方法は、図１１に示した動作１１２３内で実行され得る。より詳細には、動作１７１３において、ＵＥは、第３のＵＥと少なくとも１つの第２のＵＥとの間のシグナリングメッセージをインターセプトする。第１のＵＥは、ＷＷＡＮ通信リンクと基地局とを通して第３のＵＥと通信している。動作１７１６において、ＵＥは、少なくとも１つの第２のＵＥと第３のＵＥとの間のビデオ電話サービスを検出する。動作１７１９において、ＵＥは、少なくとも１つの第２のＵＥの通信エンドポイント特性を決定する。動作１７２３において、ＵＥは、チャネル状態と少なくとも１つの第２のＵＥのエンドポイント特性とに基づいてビデオ電話サービスの速度を決定する。動作１７２６において、ＵＥは、指示メッセージを生成し、第３のＵＥに指示メッセージを送る。指示メッセージは、ビデオ電話サービスの決定された速度を含む。たとえば、図１０を参照すると、ＩＭＳオプティマイザ７３５は、ＱｏＳ機能７１１およびＷＷＡＮプロトコルスタック７１３から、ＩＭＳサービス（たとえば、ＶＴ）をトランスポートするために確立されたＥＰＳベアラに関する情報を取得する。ＩＭＳオプティマイザ７３５は、ＩＭＳサービス（たとえば、ＶＴ）のために使用される確立されたＥＰＳベアラのための推定されるＵＬ速度およびＤＬ速度を生成し得る。ＩＭＳオプティマイザ７３５は、推定されるＵＬ速度およびＤＬ速度をＩＭＳ  ＵＥ１７８に通知するためにＩＭＳ  ＵＥ１７８に決定されたＩＰアドレスおよびポート番号に基づいてＲＴＣＰアプリケーションメッセージなどのアプリケーションレイヤメッセージ（すなわち、アプリケーション固有情報）を送り得る。
【０１０４】
[00124]図１８は、チャネル状態に基づいて基地局とＵＥとの間の少なくとも１つのマルチメディアサービスを管理する第７の方法（プロセス）のフローチャート１８００である。本方法は、図１１に示した動作１１２３内で実行され得る。より詳細には、動作１８１３において、ＵＥは、基地局と少なくとも１つの第２のＵＥとの間のリッチ通信サービスを検出する。動作１８１６において、ＵＥは、アクセスポイントのＷＬＡＮにおいて割り振られた少なくとも１つの第２のＵＥのネットワークアドレスを基地局のＷＷＡＮにおいて割り振られたネットワークアドレスに変換する。動作１８１９において、ＵＥは、ＷＷＡＮにおいて割り振られたネットワークアドレスを使用することによって基地局とＲＣＳのデータを通信する。動作１８２３において、ＵＥは、ＷＬＡＮにおいて割り振られたネットワークアドレスを使用することによって第２のＵＥとＲＣＳのデータを通信する。いくつかの構成では、変換は、アクセスポイントによって与えられたＡＬＧにおいて実行される。たとえば、図７を参照すると、ＷＬＡＮリンク１３８上の、ＭＳＲＰおよびＨＴＴＰ／Ｗｅｂｓｏｃｋｅｔｓパケット中で搬送されるＩＭＳ  ＳＴＡ１７２のＩＰアドレスは、ＮＡＴ機能７３６およびＩＭＳ  ＡＬＧ７３７によってＬＴＥリンク１３９上のＩＰアドレスに変換される必要があり得る。ＮＡＴ機能７３６およびＩＭＳ  ＡＬＧ７３７は、次いで、変換されたＩＰアドレスをもつパケットをＷＷＡＮプロトコルスタック７１３に送り、これは、相応して、ＬＴＥリンク１３９上でパケットを送信する。
【０１０５】
[00125]図１９は、チャネル状態に基づいて基地局とＵＥとの間の少なくとも１つのマルチメディアサービスを管理する第８の方法（プロセス）のフローチャート１９００である。本方法は、図１１に示した動作１１２３内で実行され得る。より詳細には、動作１９１３において、ＵＥは、ＷＷＡＮ通信リンクから受信された少なくとも１つのマルチメディアサービスのパケットから輻輳通知を検出する。動作１９１６において、ＵＥは、少なくとも１つの第２のＵＥに輻輳を通知する。いくつかの構成では、動作１９１９において、ＵＥは、輻輳通知を検出すると少なくとも１つの第２のＵＥに送られるべき少なくとも１つのマルチメディアサービスの１つまたは複数のパケットをドロップする。たとえば、図７を参照すると、ＩＭＳ  ＲＲＭ７３４は、ＱｏＳ機能７１１およびＬＴＥリンク１３９からＥＣＮを取得し得、適切な行為をとり得る。たとえば、ＩＭＳ  ＲＲＭ７３４は、パケットを選択的にドロップすることができる。一例では、ＩＭＳ  ＲＲＭ７３４は、ビデオおよびオーディオのために使用されるＩＭＳ  ＳＴＡ１７２にあるポートのポート番号を取得することができる。ＩＭＳ  ＲＲＭ７３４は、次いで、たとえば、すべてのビデオパケットをドロップし、オーディオパケットのみを転送するようにソフトＡＰ１３４に命令し得る。
【０１０６】
[00126]図２０は、例示的な装置２００２中の異なるモジュール／手段／構成要素間のデータフローを示す概念的なデータフロー図２０００である。本装置は第１のＵＥであり得る。本装置は、受信モジュール２００４と、ソフトＡＰ２００６と、ＩＭＳ管理モジュール２００８と、送信モジュール２０１０とを含む。
【０１０７】
[00127]いくつかの構成では、受信モジュール２００４および／または送信モジュール２０１０は、ＷＷＡＮ  ＲＡＴを通してｅＮＢ２０５０とのＷＷＡＮ通信リンクを確立するように構成され得る。ソフトＡＰ２００６は、ＷＬＡＮ  ＲＡＴを通して少なくとも１つのＵＥ２０６０にＷＷＡＮ通信リンクにアクセスするアクセスポイントを与えるように構成され得る。ＩＭＳ管理モジュール２００８は、ＷＷＡＮ通信リンクのチャネル状態を決定するように構成され得る。ＩＭＳ管理モジュール２００８は、チャネル状態に基づいてｅＮＢ２０５０と少なくとも１つのＵＥ２０６０との間の少なくとも１つのマルチメディアサービスを管理するように構成され得る。いくつかの構成では、少なくとも１つのマルチメディアサービスは、ＩＭＳサービス、ビデオ電話サービス、リッチ通信サービス、またはそれらの任意の組合せを含む。特に、少なくとも１つのＵＥ２０６０は、装置２００２およびｅＮＢ２０５０を介してＵＥ２０７０とのマルチメディアサービスを確立し得る。
【０１０８】
[00128]いくつかの構成では、ＩＭＳ管理モジュール２００８は、ｅＮＢ２０５０と少なくとも１つのＵＥ２０６０との間で通信される少なくとも１つのマルチメディアサービスの第１のマルチメディアサービスのための要求シグナリングメッセージ２０３２をインターセプトするように構成され得る。要求シグナリングメッセージ２０３２は、少なくとも１つのＵＥ２０６０が第１のマルチメディアサービスに加わるように要求することを示す。ＩＭＳ管理モジュール２００８は、要求シグナリングメッセージ２０３２に基づいて第１のマルチメディアサービスのサービスタイプを決定するように構成され得る。ＩＭＳ管理モジュール２００８は、チャネル状態と、決定されたサービスタイプを有する少なくとも１つのマルチメディアサービスのマルチメディアサービスの数とに基づいてシグナリングメッセージ２０３２を転送するかまたは応答メッセージ２０３４を送ることを決定するように構成され得る。いくつかの構成では、応答メッセージ２０３４は、バックオフのための原因コードを含む。いくつかの構成では、応答メッセージ２０３４は、サービス拒否を示す。
【０１０９】
[00129]より詳細には、シグナリングメッセージ２０３２を転送することをＩＭＳ管理モジュール２００８が決定すると、ＩＭＳ管理モジュール２００８は、シグナリングメッセージ２０３２の目的とする受信側（たとえば、ＵＥ２０６０、ＵＥ２０７０）にシグナリングメッセージ２０３２をルーティングすることをソフトＡＰ２００６が行うことを可能にするかまたはそうするようにソフトＡＰ２００６に命令し得る。その後、ソフトＡＰ２００６は、送信モジュール２０１０にシグナリングメッセージ２０３２を送る。少なくとも１つのＵＥ２０６０が目的とする受信側である場合、送信モジュール２０１０は、少なくとも１つのＵＥ２０６０にシグナリングメッセージ２０３２を送信する。ＵＥ２０７０が目的とする受信側である場合、送信モジュール２０１０は、ｅＮＢ２０５０にシグナリングメッセージ２０３２を送る。シグナリングメッセージ２０３２を受信すると、ｅＮＢ２０５０は、ＵＥ２０７０に向かってシグナリングメッセージ２０３２をルーティングし得る。
【０１１０】
[00130]応答メッセージ２０３４を送ることをＩＭＳ管理モジュール２００８が決定すると、ＩＭＳ管理モジュール２００８は、シグナリングメッセージ２０３２の目的とする受信側（たとえば、ＵＥ２０６０、ＵＥ２０７０）にシグナリングメッセージ２０３２をルーティングしないようにソフトＡＰ２００６に命令し得る。その後、ＩＭＳ管理モジュール２００８は、送信モジュール２０１０に、シグナリングメッセージ２０３２の送信側にアドレス指定された応答メッセージ２０３４を送る。少なくとも１つのＵＥ２０６０が送信側である場合、送信モジュール２０１０は、少なくとも１つのＵＥ２０６０に応答メッセージ２０３４を送信する。ＵＥ２０７０が送信側である場合、送信モジュール２０１０は、ｅＮＢ２０５０に応答メッセージ２０３４を送る。応答メッセージ２０３４を受信すると、ｅＮＢ２０５０は、ＵＥ２０７０に向かって応答メッセージ２０３４をルーティングし得る。
【０１１１】
[00131]いくつかの構成では、ＩＭＳ管理モジュール２００８は、ｅＮＢ２０５０と少なくとも１つのＵＥ２０６０との間で通信される少なくとも１つのマルチメディアサービスの第１のマルチメディアサービスのためのセッションシグナリングメッセージ２０３２をインターセプトするように構成され得る。ＩＭＳ管理モジュール２００８は、セッションメッセージに基づいて第１のマルチメディアサービスのサービスタイプを決定するように構成され得る。ＩＭＳ管理モジュール２００８は、チャネル状態と、決定されたサービスタイプを有する少なくとも１つのマルチメディアサービスのマルチメディアサービスの数とに基づいてセッションシグナリングメッセージ２０３２を転送するかまたは応答メッセージ２０３４を送ることを決定するように構成され得る。いくつかの構成では、ＩＭＳ管理モジュール２００８は、少なくとも１つのＵＥ２０６０のＷＭＭプロファイルを検出するように構成され得る。ＩＭＳ管理モジュール２００８は、ＷＭＭプロファイルに基づいてｅＮＢ２０５０と少なくとも１つのＵＥ２０６０との間で通信される少なくとも１つのマルチメディアサービスの第１のマルチメディアサービスのサービスタイプを決定するように構成され得る。ＩＭＳ管理モジュール２００８は、チャネル状態と、決定されたサービスタイプを有する少なくとも１つのマルチメディアサービスのマルチメディアサービスの数とに基づいてセッションシグナリングメッセージ２０３２を転送するかまたは応答メッセージ２０３４を送ることを決定するように構成され得る。
【０１１２】
[00132]いくつかの構成では、ＩＭＳ管理モジュール２００８は、少なくとも１つのＵＥ２０６０とｅＮＢ２０５０との間で補助マルチメディアサービスを確立するためのシグナリングメッセージ２０３２をインターセプトするように構成され得る。受信モジュール２００４および／または送信モジュール２０１０は、ＷＷＡＮ通信リンク上で追加のベアラを確立するように構成され得る。ソフトＡＰ２００６は、補助マルチメディアサービスを提供するために追加のベアラを使用するように構成され得る。いくつかの構成では、ＩＭＳ管理モジュール２００８は、少なくとも１つのＵＥ２０６０のＵＥの数または少なくとも１つのマルチメディアサービスのサービスの数のうちの少なくとも１つに基づいて装置２００２におけるＷＷＡＮ通信リンクのＱｏＳパラメータをアジャスティングするように受信モジュール２００４および送信モジュール２０１０に命令するように構成され得る。
【０１１３】
[00133]いくつかの構成では、ＩＭＳ管理モジュール２００８は、ＵＥ２０７０と少なくとも１つのＵＥ２０６０との間でシグナリングメッセージ２０３２をインターセプトするように構成され得る。装置２００２は、ＷＷＡＮ通信リンクとｅＮＢ２０５０とを通してＵＥ２０７０と通信している。ＩＭＳ管理モジュール２００８は、少なくとも１つのＵＥ２０６０とＵＥ２０７０との間の少なくとも１つのマルチメディアサービスと少なくとも１つのＵＥ２０６０の通信エンドポイント特性とを与えるために使用されるべきアプリケーションを決定するように構成され得る。ＩＭＳ管理モジュール２００８は、アプリケーションに固有の指示メッセージを生成し、ＵＥ２０７０に指示メッセージをセンディングするように構成され得る。指示メッセージは、少なくとも１つのＵＥ２０６０の通信エンドポイント特性を含み、少なくとも１つのＵＥ２０６０がアクセスポイントを通してＷＷＡＮ通信リンクと通信していることを示す。
【０１１４】
[00134]いくつかの構成では、ＩＭＳ管理モジュール２００８は、ＵＥ２０７０と少なくとも１つのＵＥ２０６０との間でシグナリングメッセージ２０３２をインターセプトするように構成され得る。装置２００２は、ＷＷＡＮ通信リンクとｅＮＢ２０５０とを通してＵＥ２０７０と通信している。ＩＭＳ管理モジュール２００８は、少なくとも１つのＵＥ２０６０とＵＥ２０７０との間のビデオ電話サービスを検出するように構成され得る。ＩＭＳ管理モジュール２００８は、少なくとも１つのＵＥ２０６０の通信エンドポイント特性を決定するように構成され得る。受信モジュール２００４および／または送信モジュール２０１０は、チャネル状態と少なくとも１つのＵＥ２０６０のエンドポイント特性とに基づいてビデオ電話サービスの速度を決定するように構成され得る。ＩＭＳ管理モジュール２００８は、指示メッセージを生成し、ＵＥ２０７０に指示メッセージをセンディングするように構成され得る。指示メッセージは、ビデオ電話サービスの決定された速度を含む。
【０１１５】
[00135]いくつかの構成では、ＩＭＳ管理モジュール２００８は、ｅＮＢ２０５０と少なくとも１つのＵＥ２０６０との間のリッチ通信サービスを検出するように構成され得る。ＩＭＳ管理モジュール２００８は、アクセスポイントのＷＬＡＮにおいて割り振られた少なくとも１つのＵＥ２０６０のネットワークアドレスをｅＮＢ２０５０のＷＷＡＮにおいて割り振られたネットワークアドレスに変換するように構成され得る。受信モジュール２００４および／または送信モジュール２０１０は、ＷＷＡＮにおいて割り振られたネットワークアドレスを使用することによってｅＮＢ２０５０とＲＣＳのデータを通信するように構成され得る。受信モジュール２００４および／または送信モジュール２０１０は、ＷＬＡＮにおいて割り振られたネットワークアドレスを使用することによってＵＥ２０６０とＲＣＳのデータを通信するように構成され得る。いくつかの構成では、変換は、アクセスポイントによって与えられたアプリケーションレベルゲートウェイにおいて実行される。いくつかの構成では、ＩＭＳ管理モジュール２００８は、ＷＷＡＮ通信リンクから受信された少なくとも１つのマルチメディアサービスのパケットから輻輳通知を検出するように構成され得る。ＩＭＳ管理モジュール２００８は、少なくとも１つのＵＥ２０６０に輻輳を通知ように構成され得る。いくつかの構成では、ＩＭＳ管理モジュール２００８は、輻輳通知を検出すると少なくとも１つのＵＥ２０６０に送られるべき少なくとも１つのマルチメディアサービスの１つまたは複数のパケットをドロップするようにソフトＡＰ２００６に命令するように構成され得る。いくつかの構成では、ＩＭＳ管理モジュール２００８は、インターネットトラフィックオフロードを管理するように構成され得る。
【０１１６】
[00136]本装置は、図１１〜図１９の上述のフローチャート中のアルゴリズムのブロックの各々を実行する追加のモジュールを含み得る。したがって、図１１〜図１９の上述のフローチャート中の各ブロックは、１つのモジュールによって実施され得、本装置は、それらのモジュールのうちの１つまたは複数を含み得る。それらのモジュールは、述べられたプロセス／アルゴリズムを実行するように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１７】
[00137]図２１は、処理システム２１１４を採用する装置２００２’のためのハードウェア実装形態の一例を示す図２１００である。処理システム２１１４は、バス２１２４によって概略的に表されるバスアーキテクチャを用いて実現され得る。バス２１２４は、処理システム２１１４の特定の適用例および全体的な設計制約に応じて、任意の数の相互接続バスおよびブリッジを含み得る。バス２１２４は、プロセッサ２１０４によって表される１つまたは複数のプロセッサおよび／またはハードウェアモジュールと、モジュール２００４、２００６、２００８、２０１０と、コンピュータ可読媒体／メモリ２１０６とを含む様々な回路を互いにリンクする。バス２１２４はまた、タイミングソース、周辺機器、電圧調整器、および電力管理回路など、様々な他の回路をリンクし得るが、これらの回路は当技術分野においてよく知られており、したがって、これ以上説明しない。
【０１１８】
[00138]処理システム２１１４は、トランシーバ２１１０に結合され得る。トランシーバ２１１０は１つまたは複数のアンテナ２１２０に結合される。トランシーバ２１１０は、送信媒体を介して種々の他の装置と通信するための手段を与える。トランシーバ２１１０は、１つまたは複数のアンテナ２１２０から信号を受信し、受信された信号から情報を抽出し、抽出された情報を処理システム２１１４、特に受信モジュール２００４に与える。さらに、トランシーバ２１１０は、処理システム２１１４、特に送信モジュール２０１０から情報を受信し、受信された情報に基づいて、１つまたは複数のアンテナ２１２０に適用されるべき信号を生成する。処理システム２１１４は、コンピュータ可読媒体／メモリ２１０６に結合されたプロセッサ２１０４を含む。プロセッサ２１０４は、コンピュータ可読媒体／メモリ２１０６に記憶されたソフトウェアの実行を含む全体的な処理に関与する。ソフトウェアは、プロセッサ２１０４によって実行されたとき、処理システム２１１４に、特定の装置のための上記で説明した様々な機能を実行させる。コンピュータ可読媒体／メモリ２１０６はまた、ソフトウェアを実行するときにプロセッサ２１０４によって操作されるデータを記憶するために使用され得る。処理システムは、モジュール２００４、２００６、２００８、および２０１０のうちの少なくとも１つをさらに含む。モジュールは、コンピュータ可読媒体／メモリ２１０６中に常駐する／記憶された、プロセッサ２１０４中で動作するソフトウェアモジュールであるか、プロセッサ２１０４に結合された１つまたは複数のハードウェアモジュールであるか、またはそれらの何らかの組合せであり得る。処理システム２１１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。処理システム２１１４はまた、モデムプロセッサ７１０と、アプリケーションプロセッサ７３０と、メモリ７３２とを含み得る。一構成では、装置２００２／２００２’は、ワイヤレスワイドエリアネットワーク（ＷＷＡＮ）無線アクセス技術（ＲＡＴ）を通して基地局とのＷＷＡＮ通信リンクを確立するための手段を含むように構成され得る。装置２００２／２００２’は、ワイヤレスローカルエリアネットワーク（ＷＬＡＮ）ＲＡＴを通して少なくとも１つの第２のＵＥにＷＷＡＮ通信リンクにアクセスするアクセスポイントを与えるための手段を含むように構成され得る。装置２００２／２００２’は、ＷＷＡＮ通信リンクのチャネル状態を決定するための手段を含むように構成され得る。装置２００２／２００２’は、チャネル状態に基づいて基地局と少なくとも１つの第２のＵＥとの間の少なくとも１つのマルチメディアサービスを管理するための手段を含むように構成され得る。
【０１１９】
[00139]いくつかの構成では、少なくとも１つのマルチメディアサービスは、インターネットプロトコル（ＩＰ）マルチメディアサブシステム（ＩＭＳ）サービス、ビデオ電話サービス、リッチ通信サービス（ＲＣＳ）、またはそれらの任意の組合せを含む。いくつかの構成では、少なくとも１つのマルチメディアサービスを管理するための手段は、基地局と少なくとも１つの第２のＵＥとの間で通信される少なくとも１つのマルチメディアサービスの第１のマルチメディアサービスのための要求シグナリングメッセージをインターセプトするようにさらに構成される。要求シグナリングメッセージは、少なくとも１つの第２のＵＥが第１のマルチメディアサービスに加わるように要求することを示す。少なくとも１つのマルチメディアサービスを管理するための手段は、要求シグナリングメッセージに基づいて第１のマルチメディアサービスのサービスタイプを決定するようにさらに構成される。少なくとも１つのマルチメディアサービスを管理するための手段は、チャネル状態と、決定されたサービスタイプを有する少なくとも１つのマルチメディアサービスのマルチメディアサービスの数とに基づいてシグナリングメッセージを転送するかまたは応答メッセージを送ることを決定するようにさらに構成される。
【０１２０】
[00140]いくつかの構成では、応答メッセージは、バックオフのための原因コードを含む。いくつかの構成では、応答メッセージは、サービス拒否を示す。いくつかの構成では、少なくとも１つのマルチメディアサービスを管理するための手段は、基地局と少なくとも１つの第２のＵＥとの間で通信される少なくとも１つのマルチメディアサービスの第１のマルチメディアサービスのためのセッションシグナリングメッセージをインターセプトするようにさらに構成される。少なくとも１つのマルチメディアサービスを管理するための手段は、セッションメッセージに基づいて第１のマルチメディアサービスのサービスタイプを決定するようにさらに構成される。少なくとも１つのマルチメディアサービスを管理するための手段は、チャネル状態と、決定されたサービスタイプを有する少なくとも１つのマルチメディアサービスのマルチメディアサービスの数とに基づいてセッションシグナリングメッセージを転送するかまたは応答メッセージを送ることを決定するようにさらに構成される。いくつかの構成では、少なくとも１つのマルチメディアサービスを管理するための手段は、少なくとも１つの第２のＵＥのワイヤレスマルチメディア（ＷＭＭ）プロファイルを検出するようにさらに構成される。少なくとも１つのマルチメディアサービスを管理するための手段は、ＷＭＭプロファイルに基づいて基地局と少なくとも１つの第２のＵＥとの間で通信される少なくとも１つのマルチメディアサービスの第１のマルチメディアサービスのサービスタイプを決定するようにさらに構成される。少なくとも１つのマルチメディアサービスを管理するための手段は、チャネル状態と、決定されたサービスタイプを有する少なくとも１つのマルチメディアサービスのマルチメディアサービスの数とに基づいてセッションシグナリングメッセージを転送するかまたは応答メッセージを送ることを決定するようにさらに構成される。いくつかの構成では、少なくとも１つのマルチメディアサービスを管理するための手段は、少なくとも１つの第２のＵＥと基地局との間で補助マルチメディアサービスを確立するためのシグナリングメッセージをインターセプトするようにさらに構成される。少なくとも１つのマルチメディアサービスを管理するための手段は、ＷＷＡＮ通信リンク上で追加のベアラを確立するようにさらに構成される。少なくとも１つのマルチメディアサービスを管理するための手段は、補助マルチメディアサービスを提供するために追加のベアラを使用するようにさらに構成される。
【０１２１】
[00141]いくつかの構成では、少なくとも１つのマルチメディアサービスを管理するための手段は、少なくとも１つの第２のＵＥのＵＥの数または少なくとも１つのマルチメディアサービスのサービスの数のうちの少なくとも１つに基づいて第１のＵＥにおけるＷＷＡＮ通信リンクのサービス品質（ＱｏＳ）パラメータを調整するようにさらに構成される。いくつかの構成では、少なくとも１つのマルチメディアサービスを管理するための手段は、第３のＵＥと少なくとも１つの第２のＵＥとの間のシグナリングメッセージをインターセプトするようにさらに構成される。第１のＵＥは、ＷＷＡＮ通信リンクと基地局とを通して第３のＵＥと通信している。少なくとも１つのマルチメディアサービスを管理するための手段は、少なくとも１つの第２のＵＥと第３のＵＥとの間の少なくとも１つのマルチメディアサービスと少なくとも１つの第２のＵＥの通信エンドポイント特性とを与えるために使用されるべきアプリケーションを決定するようにさらに構成される。少なくとも１つのマルチメディアサービスを管理するための手段は、アプリケーションに固有の指示メッセージを生成し、第３のＵＥに指示メッセージをセンディングするようにさらに構成される。指示メッセージは、少なくとも１つの第２のＵＥの通信エンドポイント特性を含み、少なくとも１つの第２のＵＥがアクセスポイントを通してＷＷＡＮ通信リンクと通信していることを示す。いくつかの構成では、少なくとも１つのマルチメディアサービスを管理するための手段は、第３のＵＥと少なくとも１つの第２のＵＥとの間のシグナリングメッセージをインターセプトするようにさらに構成される。第１のＵＥは、ＷＷＡＮ通信リンクと基地局とを通して第３のＵＥと通信している。少なくとも１つのマルチメディアサービスを管理するための手段は、少なくとも１つの第２のＵＥと第３のＵＥとの間のビデオ電話サービスを検出するようにさらに構成される。少なくとも１つのマルチメディアサービスを管理するための手段は、少なくとも１つの第２のＵＥの通信エンドポイント特性を決定するようにさらに構成される。少なくとも１つのマルチメディアサービスを管理するための手段は、チャネル状態と少なくとも１つの第２のＵＥのエンドポイント特性とに基づいてビデオ電話サービスの速度を決定するようにさらに構成される。少なくとも１つのマルチメディアサービスを管理するための手段は、指示メッセージを生成し、第３のＵＥに指示メッセージをセンディングするようにさらに構成される。指示メッセージは、ビデオ電話サービスの決定された速度を含む。
【０１２２】
[00142]いくつかの構成では、少なくとも１つのマルチメディアサービスを管理するための手段は、基地局と少なくとも１つの第２のＵＥとの間のリッチ通信サービス（ＲＣＳ）を検出するようにさらに構成される。少なくとも１つのマルチメディアサービスを管理するための手段は、アクセスポイントのＷＬＡＮにおいて割り振られた少なくとも１つの第２のＵＥのネットワークアドレスを基地局のＷＷＡＮにおいて割り振られたネットワークアドレスに変換するようにさらに構成される。少なくとも１つのマルチメディアサービスを管理するための手段は、ＷＷＡＮにおいて割り振られたネットワークアドレスを使用することによって基地局とＲＣＳのデータを通信するようにさらに構成される。少なくとも１つのマルチメディアサービスを管理するための手段は、ＷＬＡＮにおいて割り振られたネットワークアドレスを使用することによって第２のＵＥとＲＣＳのデータを通信するようにさらに構成される。いくつかの構成では、変換は、アクセスポイントによって与えられたアプリケーションレベルゲートウェイ（ＡＬＧ）において実行される。いくつかの構成では、少なくとも１つのマルチメディアサービスを管理するための手段は、ＷＷＡＮ通信リンクから受信された少なくとも１つのマルチメディアサービスのパケットから輻輳通知を検出するようにさらに構成される。少なくとも１つのマルチメディアサービスを管理するための手段は、少なくとも１つの第２のＵＥに輻輳を通知するようにさらに構成される。いくつかの構成では、少なくとも１つのマルチメディアサービスを管理するための手段は、輻輳通知を検出すると少なくとも１つの第２のＵＥに送られるべき少なくとも１つのマルチメディアサービスの１つまたは複数のパケットをドロップするようにさらに構成される。いくつかの構成では、少なくとも１つのマルチメディアサービスを管理するための手段は、インターネットトラフィックオフロードを管理するようにさらに構成される。
【０１２３】
[00143]上述の手段は、上述の手段によって具陳された機能を実行するように構成された、装置２００２、および／または装置２００２’の処理システム２１１４の上述のモジュールのうちの１つまたは複数であり得る。上記で説明したように、処理システム２１１４は、ＴＸプロセッサ６６８と、ＲＸプロセッサ６５６と、コントローラ／プロセッサ６５９とを含み得る。したがって、一構成では、上述の手段は、上述の手段によって具陳される機能を実行するように構成された、ＴＸプロセッサ６６８と、ＲＸプロセッサ６５６と、コントローラ／プロセッサ６５９とであり得る。処理システム２１１４はまた、モデムプロセッサ７１０と、アプリケーションプロセッサ７３０と、メモリ７３２とを含み得る。
【０１２４】
[00144]開示されるプロセス／フローチャート中のブロックの特定の順序または階層は、例示的な手法の一例であることを理解されたい。設計上の選好に基づいて、プロセス／フローチャート内のブロックの特定の順序または階層は、再配置され得ることを理解されたい。さらに、いくつかのブロックは組み合わされるかまたは省略され得る。添付の方法クレームは、様々なブロックの要素を例示的な順序で提示したものであり、提示された特定の順序または階層に限定されるものではない。
【０１２５】
[00145]以上の説明は、任意の当業者が本明細書で説明した様々な態様を実施することができるようにするために提供されたものである。これらの態様に対する様々な修正は当業者には容易に明らかであり、本明細書において規定された一般的原理は他の態様に適用され得る。したがって、特許請求の範囲は、本明細書に示された態様に限定されるものではなく、クレーム文言に矛盾しない最大の範囲を与えられるべきであり、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつかの」という語は１つまたは複数を表す。「Ａ、Ｂ、またはＣのうちの少なくとも１つの」、「Ａ、Ｂ、およびＣのうちの少なくとも１つ」、「Ａ、Ｂ、Ｃ、またはそれらの任意の組合せ」などの組合せは、Ａ、Ｂ、および／またはＣの任意の組合せを含み、複数のＡ、複数のＢ、または複数のＣを含むことができる。具体的には、「Ａ、Ｂ、またはＣのうちの少なくとも１つ」、「Ａ、Ｂ、およびＣのうちの少なくとも１つ」、「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、ＡおよびＢおよびＣとすることができ、任意のそのような組合せは、Ａ、Ｂ、またはＣのうちの１つまたは複数のメンバを含むことができる。本開示全体にわたって説明する種々の態様の要素に対するすべての構造的および機能的均等物は、当業者には既知であるか、または後に既知になり、参照により本明細書に明確に組み込まれ、特許請求の範囲によって包含されることを意図する。さらに、本明細書において開示するいかなることも、そのような開示が特許請求の範囲に明示的に記載されているか否かにかかわらず、公に供するものではない。いかなるクレーム要素も、その要素が「ための手段」という句を使用して明確に列挙されていない限り、ミーンズプラスファンクションとして解釈されるべきではない。
以下に本願の出願当初の特許請求の範囲に記載された発明を付記する。
［Ｃ１］
第１のユーザ機器（ＵＥ）のワイヤレス通信の方法であって、
ワイヤレスワイドエリアネットワーク（ＷＷＡＮ）無線アクセス技術（ＲＡＴ）を通して基地局とのＷＷＡＮ通信リンクを確立することと、
ワイヤレスローカルエリアネットワーク（ＷＬＡＮ）ＲＡＴを通して少なくとも１つの第２のＵＥに前記ＷＷＡＮ通信リンクにアクセスするアクセスポイントを与えることと、
前記ＷＷＡＮ通信リンクのチャネル状態を決定することと、
前記チャネル状態に基づいて前記基地局と前記少なくとも１つの第２のＵＥとの間の少なくとも１つのマルチメディアサービスを管理することと
を備える、方法。
［Ｃ２］
前記少なくとも１つのマルチメディアサービスは、インターネットプロトコル（ＩＰ）マルチメディアサブシステム（ＩＭＳ）サービス、ビデオ電話サービス、リッチ通信サービス（ＲＣＳ）、またはそれらの任意の組合せを含む、Ｃ１に記載の方法。
［Ｃ３］
前記少なくとも１つのマルチメディアサービスの前記管理が、
前記基地局と前記少なくとも１つの第２のＵＥとの間で通信される前記少なくとも１つのマルチメディアサービスの第１のマルチメディアサービスのための要求シグナリングメッセージをインターセプトすることと、ここにおいて、前記要求シグナリングメッセージが、前記少なくとも１つの第２のＵＥが前記第１のマルチメディアサービスに加わるように要求することを示す、
前記要求シグナリングメッセージに基づいて前記第１のマルチメディアサービスのサービスタイプを決定することと、
前記チャネル状態と、前記決定されたサービスタイプを有する前記少なくとも１つのマルチメディアサービスのマルチメディアサービスの数とに基づいて前記要求シグナリングメッセージを転送するかまたは応答メッセージを送ることを決定することと
を含む、Ｃ１に記載の方法。
［Ｃ４］
前記応答メッセージが、バックオフのための原因コードを含む、Ｃ３に記載の方法。
［Ｃ５］
前記応答メッセージが、サービス拒否を示す、Ｃ３に記載の方法。
［Ｃ６］
前記少なくとも１つのマルチメディアサービスの前記管理が、
前記基地局と前記少なくとも１つの第２のＵＥとの間で通信される前記少なくとも１つのマルチメディアサービスの第１のマルチメディアサービスのためのセッションシグナリングメッセージをインターセプトすることと、
前記セッションシグナリングメッセージに基づいて前記第１のマルチメディアサービスのサービスタイプを決定することと、
前記チャネル状態と、前記決定されたサービスタイプを有する前記少なくとも１つのマルチメディアサービスのマルチメディアサービスの数とに基づいて前記セッションシグナリングメッセージを転送するかまたは応答メッセージを送ることを決定することと
を含む、Ｃ１に記載の方法。
［Ｃ７］
前記少なくとも１つのマルチメディアサービスの前記管理が、
前記少なくとも１つの第２のＵＥのワイヤレスマルチメディア（ＷＭＭ）プロファイルを検出することと、
前記ＷＭＭプロファイルに基づいて前記基地局と前記少なくとも１つの第２のＵＥとの間で通信される前記少なくとも１つのマルチメディアサービスの第１のマルチメディアサービスのサービスタイプを決定することと、
前記チャネル状態と、前記決定されたサービスタイプを有する前記少なくとも１つのマルチメディアサービスのマルチメディアサービスの数とに基づいてセッションシグナリングメッセージを転送するかまたは応答メッセージを送ることを決定することと
を含む、Ｃ１に記載の方法。
［Ｃ８］
前記少なくとも１つのマルチメディアサービスの前記管理が、
前記少なくとも１つの第２のＵＥと前記基地局との間で補助マルチメディアサービスを確立するためのシグナリングメッセージをインターセプトすることと、
前記ＷＷＡＮ通信リンク上で追加のベアラを確立することと、
前記補助マルチメディアサービスを提供するために前記追加のベアラを使用することと
を含む、Ｃ１に記載の方法。
［Ｃ９］
前記少なくとも１つのマルチメディアサービスの前記管理が、前記少なくとも１つの第２のＵＥのＵＥの数または前記少なくとも１つのマルチメディアサービスのサービスの数のうちの少なくとも１つに基づいて前記第１のＵＥにおける前記ＷＷＡＮ通信リンクのサービス品質（ＱｏＳ）パラメータを調整することを含む、Ｃ１に記載の方法。
［Ｃ１０］
前記少なくとも１つのマルチメディアサービスの前記管理が、
第３のＵＥと前記少なくとも１つの第２のＵＥとの間のシグナリングメッセージをインターセプトすることと、ここにおいて、前記第１のＵＥが、前記ＷＷＡＮ通信リンクと前記基地局とを通して前記第３のＵＥと通信している、
前記少なくとも１つの第２のＵＥと前記第３のＵＥとの間の前記少なくとも１つのマルチメディアサービスと前記少なくとも１つの第２のＵＥの通信エンドポイント特性とを与えるために使用されるべきアプリケーションを決定することと、
前記アプリケーションに固有の指示メッセージを生成することと、前記第３のＵＥに前記指示メッセージを送ることとを行うことと、ここにおいて、前記指示メッセージが、前記少なくとも１つの第２のＵＥの前記通信エンドポイント特性を含み、前記少なくとも１つの第２のＵＥが前記アクセスポイントを通して前記ＷＷＡＮ通信リンクと通信していることを示す、
を含む、Ｃ１に記載の方法。
［Ｃ１１］
前記少なくとも１つのマルチメディアサービスの前記管理が、
第３のＵＥと前記少なくとも１つの第２のＵＥとの間のシグナリングメッセージをインターセプトすることと、ここにおいて、前記第１のＵＥが、前記ＷＷＡＮ通信リンクと前記基地局とを通して前記第３のＵＥと通信している、
前記少なくとも１つの第２のＵＥと前記第３のＵＥとの間のビデオ電話サービスを検出することと、
前記少なくとも１つの第２のＵＥの通信エンドポイント特性を決定することと、
前記チャネル状態と前記少なくとも１つの第２のＵＥの前記エンドポイント特性とに基づいて前記ビデオ電話サービスの速度を決定することと、
指示メッセージを生成することと、前記第３のＵＥに前記指示メッセージを送ることとを行うことと、ここにおいて、前記指示メッセージが、前記ビデオ電話サービスの前記決定された速度を含む、
を含む、Ｃ１に記載の方法。
［Ｃ１２］
前記少なくとも１つのマルチメディアサービスの前記管理が、
前記基地局と前記少なくとも１つの第２のＵＥとの間のリッチ通信サービス（ＲＣＳ）を検出することと、
前記アクセスポイントのＷＬＡＮにおいて割り振られた前記少なくとも１つの第２のＵＥのネットワークアドレスを前記基地局のＷＷＡＮにおいて割り振られたネットワークアドレスに変換することと、
前記ＷＷＡＮにおいて割り振られた前記ネットワークアドレスを使用することによって前記基地局と前記ＲＣＳのデータを通信することと、
前記ＷＬＡＮにおいて割り振られた前記ネットワークアドレスを使用することによって前記少なくとも１つの第２のＵＥと前記ＲＣＳのデータを通信することと
を含む、Ｃ１に記載の方法。
［Ｃ１３］
前記変換が、前記アクセスポイントによって与えられたアプリケーションレベルゲートウェイ（ＡＬＧ）において実行される、Ｃ１２に記載の方法。
［Ｃ１４］
前記少なくとも１つのマルチメディアサービスの前記管理が、
前記ＷＷＡＮ通信リンクから受信された前記少なくとも１つのマルチメディアサービスのパケットから輻輳通知を検出することと、
前記少なくとも１つの第２のＵＥに前記輻輳を通知することと
を含む、Ｃ１に記載の方法。
［Ｃ１５］
前記少なくとも１つのマルチメディアサービスの前記管理が、前記輻輳通知を検出すると前記少なくとも１つの第２のＵＥに送られるべき前記少なくとも１つのマルチメディアサービスの１つまたは複数のパケットをドロップすることをさらに含む、Ｃ１４に記載の方法。
［Ｃ１６］
前記少なくとも１つのマルチメディアサービスの前記管理がインターネットトラフィックオフロードを管理することを含む、Ｃ１に記載の方法。
［Ｃ１７］
ワイヤレス通信のための装置であって、前記装置が第１のＵＥであり、
ワイヤレスワイドエリアネットワーク（ＷＷＡＮ）無線アクセス技術（ＲＡＴ）を通して基地局とのＷＷＡＮ通信リンクを確立するための手段と、
ワイヤレスローカルエリアネットワーク（ＷＬＡＮ）ＲＡＴを通して少なくとも１つの第２のＵＥに前記ＷＷＡＮ通信リンクにアクセスするアクセスポイントを与えるための手段と、
前記ＷＷＡＮ通信リンクのチャネル状態を決定するための手段と、
前記チャネル状態に基づいて前記基地局と前記少なくとも１つの第２のＵＥとの間の少なくとも１つのマルチメディアサービスを管理するための手段と
を備える、装置。
［Ｃ１８］
前記少なくとも１つのマルチメディアサービスは、インターネットプロトコル（ＩＰ）マルチメディアサブシステム（ＩＭＳ）サービス、ビデオ電話サービス、リッチ通信サービス（ＲＣＳ）、またはそれらの任意の組合せを含む、Ｃ１７に記載の装置。
［Ｃ１９］
前記少なくとも１つのマルチメディアサービスを管理するための前記手段が、
前記基地局と前記少なくとも１つの第２のＵＥとの間で通信される前記少なくとも１つのマルチメディアサービスの第１のマルチメディアサービスのための要求シグナリングメッセージをインターセプトすることと、ここにおいて、前記要求シグナリングメッセージが、前記少なくとも１つの第２のＵＥが前記第１のマルチメディアサービスに加わるように要求することを示す、
前記要求シグナリングメッセージに基づいて前記第１のマルチメディアサービスのサービスタイプを決定することと、
前記チャネル状態と、前記決定されたサービスタイプを有する前記少なくとも１つのマルチメディアサービスのマルチメディアサービスの数とに基づいて前記要求シグナリングメッセージを転送するかまたは応答メッセージを送ることを決定することと
を行うようにさらに構成された、Ｃ１７に記載の装置。
［Ｃ２０］
前記応答メッセージが、バックオフのための原因コードを含む、Ｃ１９に記載の装置。
［Ｃ２１］
前記応答メッセージが、サービス拒否を示す、Ｃ１９に記載の装置。
［Ｃ２２］
前記少なくとも１つのマルチメディアサービスを管理するための前記手段が、
前記基地局と前記少なくとも１つの第２のＵＥとの間で通信される前記少なくとも１つのマルチメディアサービスの第１のマルチメディアサービスのためのセッションシグナリングメッセージをインターセプトすることと、
前記セッションシグナリングメッセージに基づいて前記第１のマルチメディアサービスのサービスタイプを決定することと、
前記チャネル状態と、前記決定されたサービスタイプを有する前記少なくとも１つのマルチメディアサービスのマルチメディアサービスの数とに基づいて前記セッションシグナリングメッセージを転送するかまたは応答メッセージを送ることを決定することと
を行うようにさらに構成された、Ｃ１７に記載の装置。
［Ｃ２３］
前記少なくとも１つのマルチメディアサービスを管理するための前記手段が、
前記少なくとも１つの第２のＵＥのワイヤレスマルチメディア（ＷＭＭ）プロファイルを検出することと、
前記ＷＭＭプロファイルに基づいて前記基地局と前記少なくとも１つの第２のＵＥとの間で通信される前記少なくとも１つのマルチメディアサービスの第１のマルチメディアサービスのサービスタイプを決定することと、
前記チャネル状態と、前記決定されたサービスタイプを有する前記少なくとも１つのマルチメディアサービスのマルチメディアサービスの数とに基づいてセッションシグナリングメッセージを転送するかまたは応答メッセージを送ることを決定することと
を行うようにさらに構成された、Ｃ１７に記載の装置。
［Ｃ２４］
前記少なくとも１つのマルチメディアサービスを管理するための前記手段が、
前記少なくとも１つの第２のＵＥと前記基地局との間で補助マルチメディアサービスを確立するためのシグナリングメッセージをインターセプトすることと、
前記ＷＷＡＮ通信リンク上で追加のベアラを確立することと、
前記補助マルチメディアサービスを提供するために前記追加のベアラを使用することと
を行うようにさらに構成された、Ｃ１７に記載の装置。
［Ｃ２５］
前記少なくとも１つのマルチメディアサービスを管理するための前記手段が、前記少なくとも１つの第２のＵＥのＵＥの数または前記少なくとも１つのマルチメディアサービスのサービスの数のうちの少なくとも１つに基づいて前記第１のＵＥにおける前記ＷＷＡＮ通信リンクのサービス品質（ＱｏＳ）パラメータを調整することを行うようにさらに構成された、Ｃ１７に記載の装置。
［Ｃ２６］
前記少なくとも１つのマルチメディアサービスを管理するための前記手段が、
第３のＵＥと前記少なくとも１つの第２のＵＥとの間のシグナリングメッセージをインターセプトすることと、ここにおいて、前記第１のＵＥが、前記ＷＷＡＮ通信リンクと前記基地局とを通して前記第３のＵＥと通信している、
前記少なくとも１つの第２のＵＥと前記第３のＵＥとの間の前記少なくとも１つのマルチメディアサービスと前記少なくとも１つの第２のＵＥの通信エンドポイント特性とを与えるために使用されるべきアプリケーションを決定することと、
前記アプリケーションに固有の指示メッセージを生成することと、前記第３のＵＥに前記指示メッセージをセンディングすることとを行うことと、ここにおいて、前記指示メッセージが、前記少なくとも１つの第２のＵＥの前記通信エンドポイント特性を含み、前記少なくとも１つの第２のＵＥが前記アクセスポイントを通して前記ＷＷＡＮ通信リンクと通信していることを示す、
を行うようにさらに構成された、Ｃ１７に記載の装置。
［Ｃ２７］
前記少なくとも１つのマルチメディアサービスを管理するための前記手段が、
第３のＵＥと前記少なくとも１つの第２のＵＥとの間のシグナリングメッセージをインターセプトすることと、ここにおいて、前記第１のＵＥが、前記ＷＷＡＮ通信リンクと前記基地局とを通して前記第３のＵＥと通信している、
前記少なくとも１つの第２のＵＥと前記第３のＵＥとの間のビデオ電話サービスを検出することと、
前記少なくとも１つの第２のＵＥの通信エンドポイント特性を決定することと、
前記チャネル状態と前記少なくとも１つの第２のＵＥの前記エンドポイント特性とに基づいて前記ビデオ電話サービスの速度を決定することと、
指示メッセージを生成することと、前記第３のＵＥに前記指示メッセージをセンディングすることとを行うことと、ここにおいて、前記指示メッセージが、前記ビデオ電話サービスの前記決定された速度を含む、
を行うようにさらに構成された、Ｃ１７に記載の装置。
［Ｃ２８］
前記少なくとも１つのマルチメディアサービスを管理するための前記手段が、
前記基地局と前記少なくとも１つの第２のＵＥとの間のリッチ通信サービス（ＲＣＳ）を検出することと、
前記アクセスポイントのＷＬＡＮにおいて割り振られた前記少なくとも１つの第２のＵＥのネットワークアドレスを前記基地局のＷＷＡＮにおいて割り振られたネットワークアドレスに変換することと、
前記ＷＷＡＮにおいて割り振られた前記ネットワークアドレスを使用することによって前記基地局と前記ＲＣＳのデータを通信することと、
前記ＷＬＡＮにおいて割り振られた前記ネットワークアドレスを使用することによって前記少なくとも１つの第２のＵＥと前記ＲＣＳのデータを通信することと
を行うようにさらに構成された、Ｃ１７に記載の装置。
［Ｃ２９］
ワイヤレス通信のための装置であって、前記装置が第１のユーザ機器（ＵＥ）であり、
メモリと、
前記メモリに結合され、
ワイヤレスワイドエリアネットワーク（ＷＷＡＮ）無線アクセス技術（ＲＡＴ）を通して基地局とのＷＷＡＮ通信リンクを確立することと、
ワイヤレスローカルエリアネットワーク（ＷＬＡＮ）ＲＡＴを通して少なくとも１つの第２のＵＥに前記ＷＷＡＮ通信リンクにアクセスするアクセスポイントを与えることと、
前記ＷＷＡＮ通信リンクのチャネル状態を決定することと、
前記チャネル状態に基づいて前記基地局と前記少なくとも１つの第２のＵＥとの間の少なくとも１つのマルチメディアサービスを管理することと
を行うように構成された少なくとも１つのプロセッサと
を備える、装置。
［Ｃ３０］
第１のユーザ機器（ＵＥ）にワイヤレス通信のためのコンピュータ実行可能コードを記憶するコンピュータ可読媒体であって、
ワイヤレスワイドエリアネットワーク（ＷＷＡＮ）無線アクセス技術（ＲＡＴ）を通して基地局とのＷＷＡＮ通信リンクを確立することと、
ワイヤレスローカルエリアネットワーク（ＷＬＡＮ）ＲＡＴを通して少なくとも１つの第２のＵＥに前記ＷＷＡＮ通信リンクにアクセスするアクセスポイントを与えることと、
前記ＷＷＡＮ通信リンクのチャネル状態を決定することと、
前記チャネル状態に基づいて前記基地局と前記少なくとも１つの第２のＵＥとの間の少なくとも１つのマルチメディアサービスを管理することと
を行うためのコードを備える、コンピュータ可読媒体。
【図１】
0006423128.tif 000003
【図２】
0006423128.tif 000004
【図３】
0006423128.tif 000005
【図４】
0006423128.tif 000006
【図５】
0006423128.tif 000007
【図６】
0006423128.tif 000008
【図７】
0006423128.tif 000009
【図８】
0006423128.tif 000010
【図９】
0006423128.tif 000011
【図１０】
0006423128.tif 000012
【図１１】
0006423128.tif 000013
【図１２】
0006423128.tif 000014
【図１３】
0006423128.tif 000015
【図１４】
0006423128.tif 000016
【図１５】
0006423128.tif 000017
【図１６】
0006423128.tif 000018
【図１７】
0006423128.tif 000019
【図１８】
0006423128.tif 000020
【図１９】
0006423128.tif 000021
【図２０】
0006423128.tif 000022
【図２１】
0006423128.tif 000023